(57)【要約】【課題】就寝者が就寝する就寝空間の照明を行う照明装置において、就寝者に適した照明を行うことである。【解決手段】照明装置は、ベッドに設けられ、電球色ＬＥＤと白色ＬＥＤとを有する照明ユニットと、就寝初期の照明ユニットの照明終了時刻及び照度を可変に設定する就寝制御部と、就寝者を覚醒させる際の照明ユニットの照明開始時刻及び照度を可変に設定する覚醒制御部を備えている。就寝制御部は、就寝者の体調等に応じて、就寝初期の電球色ＬＥＤの最大照度を５０ルクス以上で５００ルクス未満で適宜設定すると共に、照明終了時刻（T2）を入眠予定時刻(T1)から３０分以内で適宜設定する。覚醒制御部は、就寝者の体調等に応じて、白色ＬＥＤの照明開始時刻（T3）を起床予定時刻（T5）の１時間前以降で適宜設定すると共に、白色ＬＥＤの最大照度を５００ルクス以上で２０００ルクス以下で適宜設定する。【選択図】図５
2007294143.tif 000002
【特許請求の範囲】
【請求項１】
就寝者を覚醒させるために就寝空間（14）を照明する照明手段（31）を備えた照明装置であって、
上記照明手段（31）の照明開始時刻、照度及び波長の少なくとも何れか一つを可変に設定するための覚醒用可変手段（55）を備えている
ことを特徴とする照明装置。
【請求項２】
就寝者の就寝初期に就寝空間（14）を照明する照明手段（31）を備えた照明装置であって、
上記照明手段（31）の照明終了時刻及び照度の少なくとも何れか一つを可変に設定する就寝用可変手段（53）を備えている
ことを特徴とする照明装置。
【請求項３】
就寝者が就寝する就寝空間（14）を照明する照明手段（31）を備えた照明装置であって、
上記照明手段（31）の就寝初期における照明終了時刻及び照度の少なくとも何れか一つを可変に設定する就寝用可変手段（53）と、上記照明手段（31）の就寝者を覚醒させるための照明開始時刻、照度及び波長の少なくとも何れか一つを可変に設定する覚醒用可変手段（55）とを備えている
ことを特徴とする照明装置。
【請求項４】
請求項１又は３において、
上記覚醒用可変手段（55）は、上記照明手段（31）の照明開始時刻を設定するための覚醒用の時刻設定手段（55b）と照度を設定するための覚醒用の照度設定手段（55c）とを備えている
ことを特徴とする照明装置。
【請求項５】
請求項１又は３において、
上記覚醒可変手段（55）は、上記照明手段（31）の照明開始時刻を設定するための覚醒用の時刻設定手段（55b）と波長を設定するための覚醒用の波長設定手段（55d）を備えている
ことを特徴とする照明装置。
【請求項６】
請求項１又は３において、
上記覚醒可変手段（55）は、上記照明手段（31）の照度を設定するための覚醒用の照度設定手段（55c）と波長を設定するための覚醒用の波長設定手段（55d）とを備えている
ことを特徴とする照明装置。
【請求項７】
請求項１又は３において、
上記覚醒可変手段（55）は、上記照明手段（31）の照明開始時刻を設定するための覚醒用の時刻設定手段（55b）と照度を設定するための覚醒用の照度設定手段（55c）と波長を設定するための覚醒用の波長設定手段（55d）とを備えている
ことを特徴とする照明装置。
【請求項８】
請求項２又は３において、
上記就寝可変手段（53）は、上記照明手段（31）の照明終了時刻を設定する就寝用の時刻設定手段（53b）と照度を設定するための就寝用の照度設定手段（53c）を備えている
ことを特徴とする照明装置。
【請求項９】
請求項１又は３において、
上記覚醒用可変手段（55）は、上記照明手段（31）の照明開始時刻を設定するための覚醒用の時刻設定手段（55b）を備えている
ことを特徴とする照明装置。
【請求項１０】
請求項４，５，７及び９の何れか１項において、
上記覚醒用の時刻設定手段（55b）は、上記照明手段（31）の照明開始時刻を起床予定時刻の１時間前以降で設定するように構成されている
ことを特徴とする照明装置。
【請求項１１】
請求項１又は３において、
上記覚醒用可変手段（55）は、上記照明手段（31）の照度を設定するための覚醒用の照度設定手段（55c）を備えている
ことを特徴とする照明装置。
【請求項１２】
請求項４，６，７及び１１の何れか１項において、
上記覚醒用の照度設定手段（55c）は、上記照明手段（31）の最大照度を５００ルクス以上で２０００ルクス以下の範囲内で設定するように構成されている
ことを特徴とする照明装置。
【請求項１３】
請求項４，６，７及び１１の何れか１項において、
上記覚醒用の照度設定手段（55c）は、上記照明手段（31）が最大照度となる最大照度の到達時刻を照明開始時刻から起床予定時刻までの間で設定するように構成されている
ことを特徴とする照明装置。
【請求項１４】
請求項１又は３において、
上記覚醒用可変手段（55）は、上記照明手段（31）の波長を設定するための覚醒用の波長設定手段（55d）を備えている
ことを特徴とする照明装置。
【請求項１５】
請求項５，６，７及び１４の何れか１項において、
上記照明手段（31）は、波長特性の異なる複数の光源手段（41,42）を備え、
上記覚醒用の波長設定手段（55d）は、上記各光源手段（41,42）の照度の設定することにより、照明手段（31）の波長分布を設定するように構成されている
ことを特徴とする照明装置。
【請求項１６】
請求項５，６，７及び１４の何れか１項において、
上記照明手段（31）は、光を発生させる光源手段（41,42）と、上記光源手段（41）を覆って特定領域の波長の光を遮断又は低減する光学フィルタ（60）と、該光学フィルタ（60）を可動させる可動手段（61）とを備え、
上記覚醒用の波長設定手段（55d）は、上記光学フィルタ（60）が上記光源手段（41,42）を覆う範囲を変動させるために上記可動手段（61）を制御するように構成されている
ことを特徴とする照明装置。
【請求項１７】
請求項５，６，７及び１４の何れか１項において、
上記覚醒用の波長設定手段（55d）は、上記照明手段（31）の照明開始から、覚醒刺激の強い波長の光を徐々に増大させるように構成されている
ことを特徴とする照明装置。
【請求項１８】
請求項１７において、
上記覚醒刺激の強い波長の光は、４６４ｎｍを基準とする所定範囲の波長の光である
ことを特徴とする照明装置。
【請求項１９】
請求項２又は３において、
上記就寝用可変手段（53）は、上記照明手段（31）の照明終了時刻を設定する就寝用の時刻設定手段（53b）を備えている
ことを特徴とする照明装置。
【請求項２０】
請求項８又は１９において、
上記照明手段（31）は、入眠予定時刻から照度が漸次低下するように構成され、
上記就寝用の時刻設定手段（53b）は、上記照明手段（31）の照明終了時刻を上記入眠予定時刻以降の３０分以内で設定するように構成されている
ことを特徴とする照明装置。
【請求項２１】
請求項２又は３において、
上記就寝用可変手段（53）は、上記照明手段（31）の照度を設定するための就寝用の照度設定手段（53c）を備えている
ことを特徴とする照明装置。
【請求項２２】
請求項８又は２１において、
上記就寝用の照度設定手段（53c）は、上記照明手段（31）の最大照度を５０ルクス以上で５００ルクス未満の範囲内で設定するように構成されている
ことを特徴とする照明装置。
【請求項２３】
請求項２又は３において、
上記照明手段（31）は、上記就寝初期に覚醒刺激の弱い波長特性の光を発生させる就寝用の光源手段（41）を備えている
ことを特徴とする照明装置。
【請求項２４】
請求項２又は３において、
上記照明手段（31）は、光を発生させる光源手段（41）と、上記就寝初期に該光源手段（41）を覆って覚醒刺激の強い波長の光を遮断又は低減し、覚醒刺激の弱い波長の光を透過する光学フィルタ（60）とを備えている
ことを特徴とする照明装置。
【請求項２５】
請求項２３又は２４において、
上記覚醒刺激の弱い波長の光は、４６４ｎｍを基準とする所定範囲の波長を除いた波長領域の光である
ことを特徴とする照明装置。
【請求項２６】
請求項１，２及び３の何れか１項において、
上記照明手段（31）が、就寝者の睡眠途中の就寝空間（14）を所定の低照度で照明するように制御する睡眠用の制御手段（54）と、該照明手段（31）の所定の低照度を可変に設定する睡眠用の照度設定手段（54c）とを備えている
ことを特徴とする照明装置。
【請求項２７】
請求項２６において、
上記睡眠用の照度設定手段（54c）は、上記照明手段（31）の所定の低照度を０．３ルクス以上で５ルクス以下で設定するように構成されている
ことを特徴とする照明装置。
【請求項２８】
請求項２６において、
上記照明手段（31）は、上記睡眠途中に覚醒刺激の弱い波長特性の光を発生させる睡眠途中用の光源手段（41）を備えている
ことを特徴とする照明装置。
【請求項２９】
請求項２６において、
上記照明手段（31）は、光を発生させる光源手段（41）と、上記睡眠途中に該光源手段（41）を覆って覚醒刺激の強い波長の光を遮断又は低減し、覚醒刺激の弱い波長の光を透過する光学フィルタ（60）とを備えている
ことを特徴とする照明装置。
【請求項３０】
請求項２８又は２９において、
上記覚醒刺激の弱い波長の光は、４６４ｎｍを基準とする所定範囲の波長を除いた波長領域の光である
ことを特徴とする照明装置。
【請求項３１】
請求項１，２及び３の何れか１項に記載の照明装置（30）と人が就寝するためのベッド本体（10）とを備え、
少なくとも上記照明手段（31）が上記ベッド本体（10）に設けられている
ことを特徴とするベッド。
【発明の詳細な説明】
【技術分野】
【０００１】
本発明は、就寝者が就寝する就寝空間の照明を行う照明装置及び該照明装置を備えたベッドに関するものである。
【背景技術】
【０００２】
従来より、就寝者の入床時や起床時に就寝空間の照明を行う照明装置が知られている（例えば、特許文献１）。
【０００３】
特許文献１には、照明器具と覚醒器具とを備え、就寝者を覚醒させる目覚まし装置が記載されている。上記照明器具は、覚醒器具が起動する前に点灯を開始して、照度が小なる状態で点灯した後、照度が大なる状態で点灯するよう変化する。これにより、就寝者には、いきなり強い光が入ってくることなく、徐々に覚醒状態に誘導されて覚醒器具が動作するので、就寝者の目覚めの快適性が向上する。
【特許文献１】特公開４−６８５９５
【発明の開示】
【発明が解決しようとする課題】
【０００４】
しかしながら、上述した従来の照明装置は、もともと設定されている固定の照明条件で就寝空間の照明を行っており、就寝者の個人差や、その日の体調、好み、環境などに合わせて適切な照明条件で照明できないという問題点があった。
【０００５】
本発明は、かかる点に鑑みてなされたものであり、就寝者の入床時に就寝空間の照明を行う照明装置において、就寝者に適した照明を行うことを目的とする。
【課題を解決するための手段】
【０００６】
第１の発明は、就寝者を覚醒させるために就寝空間（14）を照明する照明手段（31）を備えた照明装置であって、上記照明手段（31）の照明開始時刻、照度及び波長の少なくとも何れか一つを可変に設定するための覚醒用可変手段（55）を備えている。
【０００７】
つまり、従来の照明装置のように、就寝者を覚醒させるために、照度が小なる状態で点灯した後に照度が大なる状態で点灯することにより、就寝者が徐々に光り刺激になれるようにすることが好ましい場合がある。逆に、就寝者が多忙であってひどく疲れている場合などは、深い眠りに入っていることもあり、いきなり照度大なる状態で照明を行ったほうが、就寝者の覚醒が確実に誘導され、就寝者の目覚めが快適になる場合もある。このように、就寝者が快適に覚醒するための照明開始時刻、照度や波長などは、その就寝者の状況によって異なる。そこで、この第１の発明では、上記覚醒用可変手段（55）が、就寝者を覚醒させる際の上記照明手段（31）の照明開始時刻、照度及び波長の少なくとも何れか一つを、就寝者の個人差、好み、体調及び環境などに応じて適宜設定する。なお、ここでいう照度とは、就寝者の枕元、即ち就寝者の眼の付近に対応した位置の照度をいう。
【０００８】
第２の発明は、就寝者の就寝初期に就寝空間（14）を照明する照明手段（31）を備えた照明装置であって、上記照明手段（31）の照明終了時刻及び照度の少なくとも何れか一つを可変に設定する就寝用可変手段（53）を備えている。
【０００９】
この第２の発明において、就寝初期とは、就寝者が入床を開始して睡眠状態に至る際の時間をいう。つまり、就寝者が入床後に読書などを行うこともあり、照明手段（31）は、このような入床後の就寝者の行動に応じ且つ就寝者の睡眠を阻害しないように照明を行い、照明を行った後に就寝者の睡眠を阻害しないように自動的に照明を終了する。そして、就寝者を深い睡眠状態に導くための照明終了時刻や照度は、その就寝者の状況によって異なる。そこで、この第２の発明では、上記就寝用可変手段（53）が、就寝初期における上記照明手段（31）の照明開始時刻及び照度の少なくとも何れか一つを、就寝者の個人差、好み、体調及び環境などに応じて適宜設定する。なお、ここでいう照度とは、就寝者の枕元、即ち就寝者の眼の付近に対応した位置の照度をいう。
【００１０】
第３の発明は、就寝者が就寝する就寝空間（14）を照明する照明手段（31）を備えた照明装置であって、上記照明手段（31）の就寝初期における照明終了時刻及び照度の少なくとも何れか一つを可変に設定する就寝用可変手段（53）と、上記照明手段（31）の就寝者を覚醒させるための照明開始時刻、照度及び波長の少なくとも何れか一つを可変に設定する覚醒用可変手段（55）とを備えている。
【００１１】
この第３の発明において、就寝初期とは、就寝者の入床を開始して睡眠状態に至る際の時間をいう。つまり、就寝者が入床後に読書などを行うこともあり、照明手段（31）は、このような就寝者の行動に応じて就寝空間（14）を照明するものである。この第３の発明では、上記就寝用可変手段（53）が、就寝初期における上記照明手段（31）の照明開始時刻及び照度の少なくとも何れか一つを、就寝者の個人差、好み、体調及び環境などに応じて適宜設定する一方、上記覚醒用可変手段（55）が、就寝者を覚醒させる際の上記照明手段（31）の照明開始時刻、照度及び波長の少なくとも何れか一つを、就寝者の個人差、好み、体調及び環境などに応じて適宜設定する。なお、ここでいう照度とは、就寝者の枕元、即ち就寝者の眼の付近に対応した位置の照度をいう。
【００１２】
第４の発明は、第１又は第３の発明において、上記覚醒用可変手段（55）は、上記照明手段（31）の照明開始時刻を設定するための覚醒用の時刻設定手段（55b）と照度を設定するための覚醒用の照度設定手段（55c）とを備えている。
【００１３】
この第４の発明では、上記覚醒用の時刻設定手段（55b）が、上記照明手段（31）の照明開始時刻を、就寝者の個人差、好み、体調及び環境などに応じて適宜設定する一方、上記覚醒用の照度設定手段（55c）が、照明手段（31）の照度を、就寝者の個人差、好み、体調及び環境などに応じて適宜設定する。つまり、上記覚醒用の時刻設定手段（55b）は、例えば、就寝者が起床予定時刻の直前に深い睡眠状態である場合は、照明開始時刻を早く設定したり、就寝者が起床予定時刻の直前に浅い睡眠状態である場合は、照明開始時刻を遅く設定したりする。また、上記覚醒用の照度設定手段（55c）は、例えば、就寝者が起床予定時刻の直前に深い睡眠状態である場合は、照度を大きく設定したり、照度を急激に変動させるように設定し、就寝者が起床予定時刻の直前に浅い睡眠状態である場合は、照度を小さく設定したり、照度が緩やかに漸次変動するように設定する。
【００１４】
第５の発明は、第１又は第３の発明において、上記覚醒可変手段（55）は、上記照明手段（31）の照明開始時刻を設定するための覚醒用の時刻設定手段（55b）と波長を設定するための覚醒用の波長設定手段（55d）を備えている。
【００１５】
この第５の発明では、上記覚醒用の時刻設定手段（55b）が、上記照明手段（31）の照明開始時刻を、就寝者の個人差、好み、体調及び環境などに応じて適宜設定する一方、上記覚醒用の波長設定手段（55d）が、上記照明手段（31）の波長を、就寝者の個人差、好み、体調及び環境などに応じて適宜設定する。つまり、上記覚醒用の時刻設定手段（55b）は、例えば、就寝者が起床予定時刻の直前に深い睡眠状態である場合は、照明開始時刻を早く設定したり、就寝者が起床予定時刻の直前に浅い睡眠状態である場合は、照明開始時刻を遅く設定したりする。また、脳内で分泌されるメラトニンというホルモンが睡眠に深く関わっていることが知られており、このメラトニンの分泌量が増大すると、眠気が誘発されることが知られている。一方、このメラトニンの分泌は、４６４ｎｍを基準とする所定範囲の波長の光を浴びると抑制されることが知られている。そこで、上記覚醒用の波長設定手段（55d）は、この４６４ｎｍを基準とする所定範囲の覚醒刺激の強い波長の光の量が増減したり、４６４ｎｍを基準とする所定範囲の波長の光の量が変動推移したりするように適宜設定する。
【００１６】
第６の発明は、第１又は第３の発明において、上記覚醒可変手段（55）は、上記照明手段（31）の照度を設定するための覚醒用の照度設定手段（55c）と波長を設定するための覚醒用の波長設定手段（55d）とを備えている。
【００１７】
この第６の発明では、上記覚醒用の照度設定手段（55c）が、照明手段（31）の照度を、就寝者の個人差、好み、体調及び環境などに応じて適宜設定する一方、上記覚醒用の波長設定手段（55d）が、上記照明手段（31）の波長を、就寝者の個人差、好み、体調及び環境などに応じて適宜設定する。つまり、上記覚醒用の照度設定手段（55c）は、例えば、就寝者が起床予定時刻の直前に深い睡眠状態である場合は、照度を大きく設定したり、照度を急激に変動させるように設定し、就寝者が起床予定時刻の直前に浅い睡眠状態である場合は、照度を小さく設定したり、照度が緩やかに漸次変動するように設定する。また、脳内で分泌されるメラトニンというホルモンが睡眠に深く関わっていることが知られており、このメラトニンの分泌量が増大すると、眠気が誘発されることが知られている。一方、このメラトニンの分泌は、４６４ｎｍを基準とする所定範囲の波長の光を浴びると抑制されることが知られている。そこで、上記覚醒用の波長設定手段（55d）は、この４６４ｎｍを基準とする所定範囲の覚醒刺激の強い波長の光の量が増減したり、４６４ｎｍを基準とする所定範囲の波長の光の量が変動推移したりするように適宜設定する。
【００１８】
第７の発明は、第１又は第３の発明において、上記覚醒可変手段（55）は、上記照明手段（31）の照明開始時刻を設定するための覚醒用の時刻設定手段（55b）と照度を設定するための覚醒用の照度設定手段（55c）と波長を設定するための覚醒用の波長設定手段（55d）とを備えている。
【００１９】
この第７の発明では、上記覚醒用の時刻設定手段（55b）が、上記照明手段（31）の照明開始時刻を、就寝者の個人差、好み、体調及び環境などに応じて適宜設定する一方、上記覚醒用の照度設定手段（55c）が、照明手段（31）の照度を、就寝者の個人差、好み、体調及び環境などに応じて適宜設定する。また、上記覚醒用の波長設定手段（55d）が、上記照明手段（31）の波長を、就寝者の個人差、好み、体調及び環境などに応じて適宜設定する。つまり、上記覚醒用の時刻設定手段（55b）は、例えば、就寝者が起床予定時刻の直前に深い睡眠状態である場合は、照明開始時刻を早く設定したり、就寝者が起床予定時刻の直前に浅い睡眠状態である場合は、照明開始時刻を遅く設定したりする。また、上記覚醒用の照度設定手段（55c）は、例えば、就寝者が起床予定時刻の直前に深い睡眠状態である場合は、照度を大きく設定したり、照度を急激に変動させるように設定し、就寝者が起床予定時刻の直前に浅い睡眠状態である場合は、照度を小さく設定したり、照度が緩やかに漸次変動するように設定する。また、脳内で分泌されるメラトニンというホルモンが睡眠に深く関わっていることが知られており、このメラトニンの分泌量が増大すると、眠気が誘発されることが知られている。一方、このメラトニンの分泌は、４６４ｎｍを基準とする所定範囲の波長の光を浴びると抑制されることが知られている。そこで、上記覚醒用の波長設定手段（55d）は、この４６４ｎｍを基準とする所定範囲の覚醒刺激の強い波長の光の量が増減したり、４６４ｎｍを基準とする所定範囲の波長の光の量が変動推移したりするように適宜設定する。
【００２０】
第８の発明は、第２又は第３の発明において、上記就寝可変手段（53）は、上記照明手段（31）の照明終了時刻を設定する就寝用の時刻設定手段（53b）と照度を設定するための就寝用の照度設定手段（53c）を備えている。
【００２１】
この第８の発明では、上記就寝用の時刻設定手段（53b）が、上記照明手段（31）の照明終了時刻を、就寝者の個人差、好み、体調及び環境などに応じて適宜設定する一方、上記就寝用の照度設定手段（53c）が、照明手段（31）の照度を、就寝者の個人差、好み、体調及び環境などに応じて適宜設定する。つまり、就寝者が入床後に読書などを行うこともあり、就寝用の照度設定手段（53c）は、照明手段（31）は、このような入床後の就寝者の行動に応じ且つ就寝者の睡眠を阻害しないように照度で照明を行う。そして、上記就寝用の時刻設定手段（53b）は、就寝者が入床した後に睡眠に至るまでの時間の長さや、睡眠時における睡眠状態の深さに応じて、照明終了時刻を適宜設定する。
【００２２】
第９の発明は、第１又は第３の発明において、上記覚醒用可変手段（55）は、上記照明手段（31）の照明開始時刻を設定するための覚醒用の時刻設定手段（55b）を備えている。
【００２３】
この第９の発明では、上記覚醒用の時刻設定手段（55b）が、上記照明手段（31）の照明開始時刻を、就寝者の個人差、好み、体調及び環境などに応じて適宜設定する。つまり、上記覚醒用の時刻設定手段（55b）は、例えば、就寝者が起床予定時刻の直前に深い睡眠状態である場合は、照明開始時刻を早く設定したり、就寝者が起床予定時刻の直前に浅い睡眠状態である場合は、照明開始時刻を遅く設定したりする。
【００２４】
第１０の発明は、第４，５，７及び第９の何れかの発明において、上記覚醒用の時刻設定手段（55b）は、上記照明手段（31）の照明開始時刻を起床予定時刻の１時間前以降で設定するように構成されている。
【００２５】
この第１０の発明では、上記覚醒用の時刻設定手段（55b）は、上記照明手段（31）の照明開始時刻を起床予定時刻の１時間前以降で設定する。そして、上記覚醒用の時刻設定手段（55b）は、起床予定時刻よりも不必要に早い時刻（例えば、起床予定時刻の２時間前）から照明を開始することがないので、就寝者を起床予定時刻より早く起床させることがない。
【００２６】
第１１の発明は、第１又は第３の発明において、上記覚醒用可変手段（55）は、上記照明手段（31）の照度を設定するための覚醒用の照度設定手段（55c）を備えている。
【００２７】
この第１１の発明では、上記覚醒用の照度設定手段（55c）が、照明手段（31）の照度を、就寝者の個人差、好み、体調及び環境などに応じて適宜設定する。つまり、上記覚醒用の照度設定手段（55c）は、例えば、就寝者が起床予定時刻の直前に深い睡眠状態である場合は、照度を大きく設定したり、照度が急激に変動させるように設定し、就寝者が起床予定時刻の直前に浅い睡眠状態である場合は、照度を小さく設定したり、照度が緩やかに漸次変動するように設定する。
【００２８】
第１２の発明は、第４，６，７及び１１の何れかの発明において、上記覚醒用の照度設定手段（55c）は、上記照明手段（31）の最大照度を５００ルクス以上で２０００ルクス以下の範囲内で設定するように構成されている。
【００２９】
この第１２の発明では、上記覚醒用の照度設定手段（55c）が、上記照明手段（31）の最大照度を就寝者を確実に覚醒状態に導く５００ルクス以上で２０００ルクス以下の範囲内で設定する。
【００３０】
第１３の発明は、第４，６，７及び１１の何れかの発明において、上記覚醒用の照度設定手段（55c）は、上記照明手段（31）が最大照度となる最大照度の到達時刻を照明開始時刻から起床予定時刻までの間で設定するように構成されている。
【００３１】
この第１３の発明では、上記覚醒用の照度設定手段（55c）が、上記照明手段（31）が最大照度となる最大照度の到達時刻を、照明開始時刻以降起床予定時刻以前の間で就寝者の個人差、好み、体調及び環境などに応じて適宜設定する。つまり、就寝者の睡眠状態が非常に深い場合は、照明開始時刻から最大照度の到達時刻までを短くして、照明手段（31）の照度を急激に大きくさせると共に、該最大照度の時間が長くなるようにして、就寝者に与える光の刺激を強くする。一方、就寝者の睡眠状態が浅い場合は、照明開始時刻から最大照度の到達時刻までを長くして、照明手段（31）の照度をゆるやかに漸次大きくさせると共に、該最大照度の時間が短くなるようにして、就寝者に与える光の刺激を弱くする。
【００３２】
第１４の発明は、第１又は第３の発明において、上記覚醒用可変手段（55）は、上記照明手段（31）の波長を設定するための覚醒用の波長設定手段（55d）を備えている。
【００３３】
この第１４の発明では、上記覚醒用の波長設定手段（55d）が、上記照明手段（31）の波長を、就寝者の個人差、好み、体調及び環境などに応じて適宜設定する。ここで、脳内で分泌されるメラトニンというホルモンが睡眠に深く関わっていることが知られており、このメラトニンの分泌量が増大すると、眠気が誘発されることになる。一方、このメラトニンの分泌は、４６４ｎｍを基準とする所定範囲の波長の光を浴びると抑制されることが知られている。そこで、上記覚醒用の波長設定手段（55d）は、この４６４ｎｍを基準とする所定範囲の覚醒刺激の強い波長の光の量が増減したり、４６４ｎｍを基準とする所定範囲の波長の光の量が変動推移したりするように適宜設定する。
【００３４】
第１５の発明は、第５，６，７及び１４の何れかの発明において、上記照明手段（31）は、波長特性の異なる複数の光源手段（41,42）を備え、上記覚醒用の波長設定手段（55d）は、上記各光源手段（41,42）の照度の設定することにより、照明手段（31）の波長分布を設定するように構成されている。
【００３５】
この第１５の発明において、上記各光源手段（41,42）は、波長特性が異なるので、覚醒刺激の強い波長が含まれる割合が異なる。そこで、上記覚醒用の波長設定手段（55d）は、例えば、覚醒刺激の強い波長をあまり含まない波長特性の光を発生させる光源手段（41）の照度を大きくして、就寝者に覚醒刺激を急激に与えないようにしたり、覚醒刺激の強い波長が多く含まれる波長特性の光を発生させる光源手段（42）の照度を大きくして、就寝者を確実に覚醒させたりする。
【００３６】
第１６の発明は、第５，６，７及び１４の何れかの発明において、上記照明手段（31）は、光を発生させる光源手段（41,42）と、上記光源手段（41）を覆って特定領域の波長の光を遮断又は低減する光学フィルタ（60）と、該光学フィルタ（60）を可動させる可動手段（61）とを備え、上記覚醒用の波長設定手段（55d）は、上記光学フィルタ（60）が上記光源手段（41,42）を覆う範囲が変動させるために可動手段（61）を制御するように構成されている。
【００３７】
この第１６の発明では、上記覚醒用の波長設定手段（55d）は、上記可動手段（61）によって上記光学フィルタ（60）が光源手段（41,42）を覆う範囲を大きくしたり小さくしたりする。つまり、上記覚醒用の波長設定手段（55d）は、例えば、光学フィルタ（60）によって光源手段（41,42）を覆う範囲を大きくして、覚醒刺激の強い波長を又は低減することにより就寝者に覚醒刺激を急激に与えないようにしたり、光学フィルタ（60）によって光源手段（41,42）を覆う範囲を小さくして、覚醒刺激の強い波長を就寝者に供給することにより、就寝者を確実に覚醒させる。
【００３８】
第１７の発明は、第５，６，７及び１４の何れかの発明において、上記覚醒用の波長設定手段（55d）は、上記照明手段（31）の照明開始から、覚醒刺激の強い波長の光を徐々に増大させるように構成されている。
【００３９】
この第１７の発明では、上記覚醒用の波長設定手段（55d）は、覚醒刺激の強い波長の光を徐々に増大させることにより、就寝者に急激に覚醒刺激を受けることを防止する。
【００４０】
第１８の発明は、第１７の発明において、上記覚醒刺激の強い波長の光は、４６４ｎｍを基準とする所定範囲の波長の光である。
【００４１】
この第１８の発明において、４６４ｎｍを基準とする所定範囲の波長とは、３８０ｎｍ以上５２５ｎｍ以下の波長をいう。つまり、波長が３８０ｎｍ以上５２５ｎｍ以下の光に、眠気を誘発するメラトニンの分泌を抑制する作用が認められている。そして、就寝者の脳内におけるメラトニン分泌を抑制するためには、波長が４４０ｎｍ以上４９０ｎｍ以下の光を就寝者に当てるのが望ましく、更には波長が４６０ｎｍ以上４７０ｎｍ以下の光を就寝者に当てるのが一層望ましい。そこで、この第１３の発明では、上記覚醒用の波長設定手段（55d）が、４６４ｎｍを基準とする所定範囲の波長の光を徐々に増大させる。
【００４２】
第１９の発明は、第２又は第３の発明において、上記就寝用可変手段（53）は、上記照明手段（31）の照明終了時刻を設定する就寝用の時刻設定手段（53b）を備えている。
【００４３】
この第１９の発明では、上記就寝用の時刻設定手段（53b）が、上記照明手段（31）の照明終了時刻を、就寝者の個人差、好み、体調及び環境などに応じて適宜設定する。つまり、上記就寝用の時刻設定手段（53b）は、就寝者が入床した後に睡眠に至るまでの時間の長さや、睡眠時における睡眠状態の深さに応じて、照明終了時刻を適宜設定する。
【００４４】
第２０の発明は、第８又は第１９の発明において、上記照明手段（31）は、入眠予定時刻から照度が漸次低下するように構成され、上記就寝用の時刻設定手段（53b）は、上記照明手段（31）の照明終了時刻を上記入眠予定時刻以降の３０分以内で設定するように構成されている。
【００４５】
この第２０の発明では、上記就寝用の時刻設定手段（53b）は、上記照明手段（31）の照明終了時刻を、就寝者の個人差、好み、体調及び環境などに応じて、上記入眠予定時刻以降の３０分以内で適宜設定する。つまり、上記就寝用の時刻設定手段（53b）は、例えば、就寝者が入眠予定時刻に深い睡眠状態である場合は、入眠予定時刻から照明終了時刻までの時間を短くすることにより、照明ユニット（31）の照度を急激に小さくして、就寝者に光刺激を与える時間を短くする一方、就寝者の睡眠状態が浅い場合は、入眠予定時刻から照明終了時刻までの時間を長くして、照明ユニット（31）の照度がゆるやかに漸次小さくなるようにして、就寝者が受ける光刺激の変動を小さくする。
【００４６】
第２１の発明は、第２又は第３の発明において、上記就寝用可変手段（53）は、上記照明手段（31）の照度を設定するための就寝用の照度設定手段（53c）を備えている。
【００４７】
この２１の発明では、上記就寝用の照度設定手段（53c）が、照明手段（31）の照度を、就寝者の個人差、好み、体調及び環境などに応じて適宜設定する。つまり、就寝者が、入床後に読書を行うなどする場合があるので、就寝用の照度設定手段（53c）は、このような入床直後の就寝者の行動に合わせて照度を設定すると共に、就寝者が読書などを終えた後に、入眠状態に導かれるような適切な照度を設定する。
【００４８】
第２２の発明は、第８又は第２１の発明において、上記就寝用の照度設定手段（53c）は、上記照明手段（31）の最大照度を５０ルクス以上で５００ルクス未満の範囲内で設定するように構成されている。
【００４９】
この第２２の発明では、上記就寝用の照度設定手段（53c）が、上記照明手段（31）の最大照度を、入床直後の読書などを行うのに適し且つ就寝者の入眠を阻害しない５０ルクス以上で５００ルクス未満の範囲内で設定する。
【００５０】
第２３の発明は、第２又は第３の発明において、上記照明手段（31）は、上記就寝初期に覚醒刺激の弱い波長特性の光を発生させる就寝用の光源手段（41）を備えている。
【００５１】
この第２３の発明では、眠気を誘発するメラトニンの分泌量は、４６４ｎｍを基準とする所定範囲の波長の光を浴びることによって抑制されるので、上記光源手段（41）は、４６４ｎｍを基準とする所定範囲の波長をあまり含まない覚醒刺激の弱い光を発生させる。
【００５２】
第２４の発明は、第２又は第３の発明において、上記照明手段（31）は、光を発生させる光源手段（41）と、上記就寝初期に該光源手段（41）を覆って覚醒刺激の強い波長の光を遮断又は低減し、覚醒刺激の弱い波長の光を透過する光学フィルタ（60）とを備えている。
【００５３】
この第２４の発明では、上記照明手段（31）は、光学フィルタ（60）によって上記光源手段（41）を覆うことにより、就寝者に覚醒刺激の強い波長の光が供給されることを防止し、就寝者の入眠が阻害されたり、深い睡眠状態から浅い睡眠状態に誘発されたりしないようにする。なお、光学フィルタ（60）は、覚醒刺激の強い光を完全に遮断するものでなくてもよく、つまり、覚醒刺激の強い光を低減するものであればよい。さらに、少なくとも、覚醒刺激の強い光より覚醒刺激の弱い光を透過させやすいものであればよい。
【００５４】
第２５の発明は、第２３又は第２４の発明において、上記覚醒刺激の弱い波長の光は、４６４ｎｍを基準とする所定範囲の波長を除いた波長領域の光である。
【００５５】
この第２５の発明において、４６４ｎｍを基準とする所定範囲の波長とは、３８０ｎｍ以上５２５ｎｍ以下の波長をいう。つまり、メラトニンの分泌を抑制する作用は、波長が３８０ｎｍ以上５２５ｎｍ以下の光に認められており、この作用は、波長が４４０ｎｍ以上４９０ｎｍ以下の光が大きく、更に、波長が４６０ｎｍ以上４７０ｎｍ以下光がより一層大きい。そこで、この第２０の発明では、上記照明手段（31）から就寝者に供給される光は、波長が４６０ｎｍ以上４７０ｎｍ以下の波長を除いた波長領域の光であり、更に、波長が４４０ｎｍ以上４９０ｎｍ以下の波長を除いた波長領域の光が好ましく、更に、波長が３８０ｎｍ以上５２５ｎｍ以下の波長の光を除いたものがより好ましい。
【００５６】
第２６の発明は、第１，２及び３の何れか一つの発明において、上記照明手段（31）が、就寝者の睡眠途中の就寝空間（14）を所定の低照度で照明するように制御する睡眠用の制御手段（54）と、該照明手段（31）の所定の低照度を可変に設定する睡眠用の照度設定手段（54c）とを備えている。
【００５７】
この第２６の発明では、上記睡眠用の照度設定手段（54c）は、上記睡眠途中における上記照明手段（31）の照度を、就寝者の個人差、好み、体調及び環境に応じて適宜設定する。
【００５８】
第２７の発明は、第２６の発明において、上記睡眠用の照度設定手段（54c）は、上記照明手段（31）の所定の低照度を０．３ルクス以上で５ルクス以下で設定するように構成されている。
【００５９】
この第２７の発明では、上記睡眠用の照度設定手段（54c）は、上記照明手段（31）の照度を就寝者を浅い睡眠状態に誘発しない０．３ルクス以上で５ルクス以下で設定する。
【００６０】
第２８の発明は、第２６の発明において、上記照明手段（31）は、上記睡眠途中に覚醒刺激の弱い波長特性の光を発生させる睡眠途中用の光源手段（41）を備えている。
【００６１】
この第２８の発明では、眠気を誘発するメラトニンの分泌量は、４６４ｎｍを基準とする所定範囲の波長の光を浴びることによって抑制されるので、上記光源手段（41）は、４６４ｎｍを基準とする所定範囲の波長をあまり含まない覚醒刺激の弱い光を発生させる。
【００６２】
第２９の発明は、第２６の発明において、上記照明手段（31）は、光を発生させる光源手段（41）と、上記睡眠途中に該光源手段（41）を覆って覚醒刺激の強い波長の光を遮断又は低減し、覚醒刺激の弱い波長の光を透過する光学フィルタ（60）とを備えている。
【００６３】
この第２９の発明では、上記照明手段（31）は、光学フィルタ（60）によって、上記光源手段（41）を覆うことにより、就寝者に覚醒刺激の弱い波長の光を供給して、就寝者が浅い睡眠状態に誘発されないようにする。なお、光学フィルタ（60）は、覚醒刺激の強い光を完全に遮断するものでなくてもよく、つまり、覚醒刺激の強い光を低減するものであればよい。さらに、少なくとも、覚醒刺激の強い光より覚醒刺激の弱い光を透過させやすいものであればよい。
【００６４】
第３０の発明は、第２８又は２９の発明において、上記覚醒刺激の弱い波長の光は、４６４ｎｍを基準とする所定範囲の波長を除いた波長領域の光である。
【００６５】
この第３０の発明において、４６４ｎｍを基準とする所定範囲の波長とは、３８０ｎｍ以上５２５ｎｍ以下の波長をいう。つまり、メラトニンの分泌を抑制する作用は、波長が３８０ｎｍ以上５２５ｎｍ以下の光に認められており、この作用は、波長が４４０ｎｍ以上４９０ｎｍ以下の光が大きく、更に、波長が４６０ｎｍ以上４７０ｎｍ以下光がより一層大きい。そこで、この第２５の発明では、上記照明手段（31）から就寝者に供給される光は、波長が４６０ｎｍ以上４７０ｎｍ以下の波長を除いた波長領域の光であり、更に、波長が４４０ｎｍ以上４９０ｎｍ以下の波長を除いた波長領域の光が好ましく、更に、波長が３８０ｎｍ以上５２５ｎｍ以下の波長の光を除いたものがより好ましい。
【００６６】
第３１の発明は、第１，２及び３の何れか一つのの照明装置（30）と人が就寝するためのベッド本体（10）とを備え、少なくとも上記照明手段（31）が上記ベッド本体（10）に設けられている。
【００６７】
この第３１の発明では、上記ベッド本体（10）に上記照明手段（31）を設けて、該ベッド本体（10）で就寝する就寝者の個人差、好み、体調及び環境などに応じて、上記照明手段（31）の照明条件を適宜設定する。
【発明の効果】
【００６８】
上記第１の発明によれば、就寝者を覚醒させるための上記照明手段（31）の照明開始時刻、照度及び波長の少なくとも何れか一つを、就寝者の個人差、好み、体調及び環境などに応じて適宜設定することができるので、就寝者が覚醒する際の快適性を向上させることができる。
【００６９】
また、上記第２の発明によれば、就寝初期における上記照明手段（31）の照明開始時刻及び照度の少なくとも何れか一つを、就寝者の個人差、好み、体調及び環境などに応じて適宜設定することができるので、就寝者を入眠後に深い睡眠状態に誘導することができる。これにより、就寝者が睡眠不足の状態となることがないので、結果的に、就寝者が覚醒する際の快適性を向上させることができ、さらには、就寝者の健康状態をも向上させることができる。
【００７０】
また、上記第３の発明によれば、就寝初期における上記照明手段（31）の照明開始時刻及び照度の少なくとも何れか一つを、就寝者の個人差、好み、体調及び環境などに応じて適宜設定することができるので、就寝者を入眠後に深い睡眠状態に誘導することができる。これにより、就寝者が睡眠不足の状態となることがないので、結果的に、就寝者が覚醒する際の快適性を向上させることができる。さらに、就寝者を覚醒させるための上記照明手段（31）の照明開始時刻、照度及び波長の少なくとも何れか一つを、就寝者の個人差、好み、体調及び環境などに応じて適宜設定することができるので、より確実に就寝者が覚醒する際の快適性を向上させることができる。
【００７１】
また、上記第４の発明によれば、就寝者を覚醒させる際の上記照明手段（31）の照明開始時刻と照度とを、就寝者の個人差、好み、体調及び環境などに応じて適宜設定することができる。これにより、例えば、就寝者が、起床予定時刻の少し前に深い睡眠状態である場合は、照明開始時刻を早くしたり、照明手段（31）による照度や照度変動による光の刺激を強くして確実に覚醒状態に誘導することができる。また、就寝者が起床予定時刻の直前に浅い睡眠状態である場合は、照明開始時刻を遅くしたり、照明手段（31）による照度や照度変動による光の刺激を弱くして、就寝者に過度な刺激を与えることなく、確実に覚醒状態に誘導することができる。さらに、例えば、照明開始から起床予定時刻以前の所定時刻にかけて、照度を漸次大きくして最大照度とする場合、覚醒用の照度設定手段（55c）が就寝者の体調などに応じた最大照度を可変に設定しても、就寝用の時刻設定手段（55b）がこの最大照度に合わせて照明開始時刻を早く設定したり、遅く設定したりすれば、照度の変動率を一定にしたり、変動率を変えたりすることができる。つまり、照度の変動率によっても、就寝者が受ける覚醒刺激は異なるので、就寝者の体調に応じて、照度の変動率をも適宜設定することができる。
【００７２】
また、上記第５の発明によれば、就寝者を覚醒させる際の上記照明手段（31）の照明開始時刻と波長とを、就寝者の個人差、好み、体調及び環境などに応じて適宜設定することができる。これにより、例えば、就寝者が、起床予定時刻の直前に深い睡眠状態である場合は、就寝手段の照明開始時刻を早くしたり、就寝者が照明手段（31）から覚醒刺激の強い波長を急激に供給されるようにすることにより、就寝者を確実に覚醒状態に誘導することができる。また、就寝者が起床予定時刻の直前に浅い睡眠状態である場合は、照明開始時刻を遅くしたり、就寝者が照明手段（31）から覚醒刺激の弱い波長の光が供給された後に徐々に覚醒刺激の強い波長が供給されるようにして、就寝者に過度な刺激を与えることなく、確実に覚醒状態に誘導することができる。さらに、例えば、照明開始から起床予定時刻以前の所定時刻にかけて、就寝者に供給する覚醒刺激の強い波長の割合を漸次多くさせる場合、覚醒刺激の強い波長の割合が増加する変動率を適宜設定することができる。つまり、光の波長特性の変動率によっても、就寝者が受ける覚醒刺激は異なるので、就寝者の体調に応じて、波長の変動率をも適宜設定することができる。
【００７３】
また、上記第６の発明によれば、就寝者を覚醒させる際の上記照明手段（31）の照度と波長とを、就寝者の個人差、好み、体調及び環境などに応じて適宜設定することができる。これにより、例えば、就寝者が、起床予定時刻の直前に深い睡眠状態である場合は、照明手段（31）の照度や波長特性による光の刺激を強くして確実に覚醒状態に誘導することができる。また、就寝者が起床予定時刻の直前に浅い睡眠状態である場合は、照明手段（31）の照度や波長特性による光の刺激を弱くして、就寝者に過度な刺激を与えることなく、確実に覚醒状態に誘導することができる。そして、就寝者によっては、照度に対する感受性が強い場合や、覚醒刺激の強い波長に対する感受性が強い場合があるので、このような就寝者の照度や覚醒刺激の強い波長に対する感受性に応じて、照度及び波長を適宜設定することができる。
【００７４】
また、上記第７の発明によれば、就寝者を覚醒させる際の上記照明手段（31）の照明開始時刻と照度と波長とを、就寝者の個人差、好み、体調及び環境などに応じて適宜設定することができる。これにより、例えば、就寝者が、起床予定時刻の少し前に深い睡眠状態である場合は、照明開始時刻を早くしたり、照明手段（31）による照度及び波長特性による光の刺激を強くして確実に覚醒状態に誘導することができる。また、就寝者が起床予定時刻の直前に浅い睡眠状態である場合は、照明開始時刻を遅くしたり、照明手段（31）による照度及び波長特性による光の刺激を弱くして、就寝者に過度な刺激を与えることなく、確実に覚醒状態に誘導することができる。さらに、照度や波長の変動率や、就寝者の照度や覚醒刺激の強い波長に対する感受性に応じて、照度と波長と照明開始時刻を適宜設定することができる。
【００７５】
また、上記第８の発明によれば、就寝初期における上記照明手段（31）の照明終了時刻と照度を、就寝者の個人差、好み、体調及び環境などに応じて適宜設定することができる。つまり、就寝者の入眠初期の睡眠状態の深さに応じて照明終了時刻を適宜設定したり、就寝者の入眠が阻害されることがない照度に設定することができるので、就寝者を深い睡眠状態に誘導することができる。さらに、照明終了時刻と照度とを可変に設定することができるので、例えば、照明が最大照度から漸次小さくなって終了する場合、最大照度を変動させても、照度が低下する際の変動率を適宜設定することができる。つまり、照度の変動率によっても、就寝者が受ける覚醒刺激は異なるので、就寝者の体調に応じて、照度の変動率をも適宜設定することができる。
【００７６】
また、上記第９の発明によれば、就寝者を覚醒させる際の上記照明手段（31）の照明開始時刻を、就寝者の個人差、好み、体調及び環境などに応じて適宜設定することができるので、例えば、就寝者の所望の起床予定時刻に確実に覚醒させることができる。
【００７７】
また、上記第１０の発明によれば、就寝者を覚醒させる際の上記照明手段（31）の照明開始時刻は、早くても起床予定時刻の１時間前以降であるので、就寝者を不必要に早く覚醒させることを防止することができると共に、就寝者が起床予定時刻に覚醒した際の快適性を向上させることができる。
【００７８】
また、上記第１１の発明によれば、就寝者を覚醒させる際の上記照明手段（31）の照度を、就寝者の個人差、好み、体調及び環境などに応じて適宜設定することができる。これにより、例えば、就寝者が、起床予定時刻の直前に深い睡眠状態である場合は、照明手段（31）による照度や照度変動による光の刺激を強くして確実に覚醒状態に誘導することができる一方、就寝者が起床予定時刻の直前に浅い睡眠状態である場合は、照明手段（31）による照度や照度の変動による光の刺激を弱くして、就寝者に過度な刺激を与えることなく、確実に覚醒状態に誘導することができる。
【００７９】
また、上記第１２の発明によれば、上記照明手段（31）の最大照度が、５００ルクス以上で２０００ルクス以下の範囲内で設定するようにしたために、就寝者を確実に覚醒状態に導くことができる。
【００８０】
また、上記第１３の発明によれば、就寝者を覚醒させる際に上記照明手段（31）が最大照度となる最大照度の到達時刻を、就寝者の個人差、好み、体調及び環境などに応じて、照明開始時刻以降起床予定時刻以前の間で適宜設定することができ。これにより、例えば、就寝者が起床予定時刻の直前に深い睡眠状態である場合は、照明開始時刻から最大照度の到達時刻までを短くして、照明手段（31）による光の刺激を強くして確実に覚醒状態に誘導することができる一方、就寝者が起床予定時刻の直前に睡眠状態が浅い場合は、照明開始時刻から最大照度の到達時刻までを長くして、照明手段（31）による光の刺激を弱くして、就寝者に過度な刺激を与えることなく、確実に覚醒状態に誘導することができる。
【００８１】
また、上記第１４の発明によれば、就寝者を覚醒させる際の上記照明手段（31）の波長を、就寝者の個人差、好み、体調及び環境などに応じて適宜設定することができる。これにより、例えば、就寝者が、起床予定時刻の直前に深い睡眠状態である場合は、就寝者が照明手段（31）から覚醒刺激の強い波長を急激に供給されるようにして確実に覚醒状態に誘導することができる一方、就寝者が起床予定時刻の直前に浅い睡眠状態である場合は、就寝者が照明手段（31）から覚醒刺激の弱い波長の光が供給された後に徐々に覚醒刺激の強い波長が供給されるようにして、就寝者に過度な刺激を与えることなく、確実に覚醒状態に誘導することができる。
【００８２】
また、上記第１５の発明によれば、波長特性が異なる各光源手段（41,42）の照度を変動させることにより、容易に照明手段（31）の波長を可変にすることができる。
【００８３】
また、上記第１６の発明によれば、上記光学フィルタ（60）が光源手段（41,42）を覆う範囲を大きくしたり小さくしたりすることによって、容易に照明手段（31）の波長を可変にすることができる。
【００８４】
また、上記第１７の発明によれば、就寝者を覚醒させる際に、上記照明手段（31）の波長において、覚醒刺激の強い波長の光を徐々に増大させるようにしたために、就寝者が急激に覚醒刺激を受けることを防止することができるので、就寝者が不快感を感じたり、不必要に早く覚醒したりすることがなく、就寝者を快適に覚醒状態に誘導することができる。
【００８５】
また、上記第１８の発明によれば、上記覚醒刺激の強い波長の光を、４６４ｎｍを基準とする所定範囲の波長の光としたために、就寝者を確実に覚醒状態に誘導することができる。
【００８６】
また、上記第１９の発明によれば、就寝初期における上記照明手段（31）の照明終了時刻を、就寝者の個人差、好み、体調及び環境などに応じて適宜設定することができる。つまり、就寝者の入眠初期の睡眠状態の深さに応じて照明終了時刻を適宜設定することができるので、就寝者を入眠後に深い睡眠状態に誘導することができる。
【００８７】
また、上記第２０の発明によれば、就寝初期における上記照明手段（31）の照明終了時刻を、入眠予定時刻から３０分以内で適宜設定することができるので、例えば、就寝者の睡眠状態が深い場合は、照明終了時刻を早くすることにより、就寝者が照明手段（31）の光刺激を長時間受けることを防止して、浅い睡眠状態に誘導されることを防止することができる一方、就寝者の睡眠状態が浅い場合は、照明終了時刻を遅くすることにより、就寝者が照明手段（31）の照度の急激な変動の刺激を与えることを防止して、就寝者が、さらに浅い睡眠状態に誘導されたり、覚醒したりすることを防止することができる。
【００８８】
また、上記第２１の発明によれば、就寝初期における照明手段（31）の照度を、就寝者の個人差、好み、体調及び環境などに応じて適宜設定することができる。つまり、就寝者が入床直後の読書などを行うのに適した照度に設定することができると共に、就寝者の入眠が阻害されることがない照度に設定することができるので、就寝者を深い睡眠状態に誘導することができる。
【００８９】
また、上記第２２の発明によれば、就寝初期における上記照明手段（31）の最大照度を、５０ルクス以上で５００ルクス未満の範囲内で設定するようにしたために、就寝者が入床直後の読書などを行うのに適した照度に設定することができると共に、就寝者の入眠が阻害されることを確実に防止して、就寝者を深い睡眠状態に誘導することができる。
【００９０】
また、上記第２３の発明によれば、就寝初期において、上記光源手段（41）が覚醒刺激の弱い波長特性の光を発生させるので、就寝者の入眠が阻害されたり、就寝者が入眠後に浅い睡眠状態となって覚醒状態に誘導されたりすることを防止することができる。
【００９１】
また、上記第２４の発明によれば、上記光学フィルタ（60）によって、光源手段（41）の波長特性に拘わらず、覚醒刺激の強い光が就寝者に供給されるのを確実に防止することができる。
【００９２】
また、上記第２５の発明によれば、上記覚醒刺激の弱い波長の光は、４６４ｎｍを基準とする所定範囲の波長を除いた波長領域の光としたために、就寝者の入眠が阻害されたり、就寝者が入眠後に浅い睡眠状態となって覚醒状態に誘導されたりすることを防止することができる。
【００９３】
また、上記第２６の発明によれば、睡眠途中の上記照明手段（31）の照度を、就寝者の個人差、好み、体調及び環境に応じて適宜設定することができる。これにより、就寝者が睡眠途中に不意に覚醒しても不安感を感じることなく、再度入眠することができる。
【００９４】
また、上記第２７の発明によれば、睡眠途中の上記照明手段（31）の照度を、０．３ルクス以上で５ルクス以下で設定するようにしたために、就寝者が、睡眠途中に照明手段（31）の照明によって浅い睡眠状態や覚醒状態に誘導されることを防止することができる。
【００９５】
また、上記第２８の発明によれば、睡眠途中において、上記光源手段（41）が覚醒刺激の弱い波長特性の光を発生させるので、就寝者が、睡眠途中に照明手段（31）の照明によって浅い睡眠状態や覚醒状態に誘導されることを防止することができる。
【００９６】
また、上記第２９の発明によれば、上記光学フィルタ（60）によって、光源手段（41）の波長特性に拘わらず、確実に覚醒刺激の弱い光を就寝者に供給することができる。        
【００９７】
また、上記第３０の発明によれば、上記覚醒刺激の弱い波長の光は、４６４ｎｍを基準とする所定範囲の波長を除いた波長領域の光としたために、就寝者が、睡眠途中に照明手段（31）の照明によって浅い睡眠状態や覚醒状態に誘導されることを防止することができる。
【００９８】
また、上記第３１の発明によれば、上記ベッド本体（10）に設けられた照明手段（31）の照度などの照明条件を、該ベッド本体（10）で就寝する就寝者の個人差、好み、体調及び環境などに応じて適宜設定することができるので、該ベッド本体（10）で就寝する就寝者の入床時の快適性を向上させることができる。
【発明を実施するための最良の形態】
【００９９】
以下、本発明の実施形態を図面に基づいて詳細に説明する。
【０１００】
《発明の実施形態１》
本発明の実施形態１は、図１及び図２に示すように、ベッド本体（10）に本発明に係る照明装置（30）が設けられたベッド（1）である。
【０１０１】
〈ベッドの構成〉
ベッド本体（10）は、図１及び図２に示すように、寝台部（11）と該寝台部（11）の頭側の端部に当接するヘッドボード（20）と、寝台部（11）を覆う天蓋（23）を備えている。
【０１０２】
上記寝台部（11）は、扁平な直方体の台状に形成されている。寝台部（11）の内部には、図示しない電気ヒータなどを利用した空調ユニットが収納されている。寝台部（11）の上には、就寝者が横たわるためのマットレス（13）が載せられている。上記マットレス（13）は、上記寝台部（11）の上面の面積よりも一回り小さく形成され、寝台部（11）の上面には、マットレス（13）より露出した両側スペース（17）及び脚側スペース（16）が形成されている。上記脚側スペース（16）には、両側部に脚側吹出口（18）が形成される一方、中央部に脚側吸込口（19）が形成されている。上記脚側吹出口（18）は、寝台部（11）内部の空調ユニットで生成した調和空気を吹き出すためのものであり、上記脚側吸込口（19）は、就寝者の脚側の空気を上記空調ユニットに取り込むためのものである。また、上記脚側スペース（16）には、カーテン保持棒（15）が設けられている。該カーテン保持棒（15）は、脚側スペース（16）の両側の支持棒（15a）を介して寝台部（11）の上面と所定間隔を保って寝台部（11）の幅方向に延びており、後述する天蓋（23）のカーテン（28）が脚側スペース（16）の脚側吹出口（18）及び脚側吸込口（19）を塞いだりしないようにカーテン（28）を保持するものである。
【０１０３】
上記ヘッドボード（20）は、横長の扁平な矩形の箱状に形成されている。ヘッドボード（20）の内部には、図示しない熱電素子などを利用した空調ユニットが収納されている。ヘッドボード（20）の前面には、空調ユニットで生成された調和空気を吹き出すための吹き出しグリル（21）が形成されている。また、上記ヘッドボード（20）の上面左側には、後述する天蓋（23）のカーテン（28）を開いた状態に保持するための保持部（20b）が設けられている。そして、上記ヘッドボード（20）は、前面における吹き出しグリル（21）のすぐ上に横長の凹部（20a）が形成され、該凹部（20a）に本発明に係る上記照明装置（30）が収納されている。
【０１０４】
上記天蓋（23）は、図２に示すように、カーテン（28）と該カーテン（28）を吊す天井部材（26）と該天井部材（26）を支持する支持部（24）とを備えている。
【０１０５】
上記支持部（24）は、略逆Ｌ字状に形成された支持棒（25）を２本の備えている。上記各支持棒（25）は、一端がヘッドボード（20）の上面に固定され、他端が、寝台部（11）の中央部上方に位置している。
【０１０６】
上記天井部材（26）は、略楕円状に形成されており、上面に２枚の横長の固定板（27）がビスによって取り付けられ、該各固定板（27）が、図示しないボルトによって、上記各支持棒（25）と連結されている。このようにして、上記上記天井部材（26）は、支持部（24）に支持されている。
【０１０７】
上記カーテン（28）は、遮光性を有する横方向に長い布材であり、上端側が、上記天井部材（26）取り付けられて、該天井部材（26）の周縁部から下方に吊されている。一方、上記カーテン（28）の下端側は、寝台部（11）の両側及び脚側の側面とヘッドボード（20）の前面側に接するように、ベッド本体（10）の周縁部まで延びている。このように、上記天蓋（23）は、寝台部（11）の上方を覆って、就寝者が就寝する就寝空間（14）を形成している。
【０１０８】
〈照明装置の構成〉
上記照明装置（30）は、図３に示すように、ケーシング（30a）と照明手段である照明ユニット（31）とコントローラ（32）とを備えている。
【０１０９】
上記ケーシング（30a）は、横長の矩形の箱形に形成され、図１に示すように、前面が上記ヘッドボード（20）の前面と同一平面上に位置するように上記凹部（20a）に収容されている。
【０１１０】
上記ケーシング（30a）の略左半分の領域には、横長の凹部（30b）が形成されている。上記照明ユニット（31）は、該凹部（30b）の背面に取り付けられている。また、上記ケーシング（30a）には、上記凹部（30b）閉塞するアクリル板（34）が配置されている。つまり、照明ユニット（31）が発生させる光は、アクリル板（34）を介して就寝者に供給される。
【０１１１】
上記照明ユニット（31）は、発光ダイオード（以下、ＬＥＤという）より構成され、波長特性の異なる２つの光源手段である電球色ＬＥＤ（41）及び白色ＬＥＤ（42）をそれぞれ８８個と、該各ＬＥＤ（41,42）を取り付ける支持基板（43）を４枚備えている。
【０１１２】
図１０の（ａ）に示すように、上記電球色ＬＥＤ（41）が発生させる光は、波長６００ｎｍ前後の成分が最も多く含まれ、４６４ｎｍを基準とする所定範囲（３８０ｎｍ以上５２５ｎｍ以下）の波長の光はあまり含まれない。つまり、電球色ＬＥＤ（41）は、４６４ｎｍを基準とする所定範囲の波長を除いた波長領域の光を多く含んでいる。一方、図１０の（ｂ）に示すように、上記白色ＬＥＤ（42）が発生させる光は、４６４ｎｍを基準とする所定範囲の波長の成分を比較的多く含む。ここで、人体が、波長が４６４ｎｍを基準とする所定範囲の光を浴びると、眠気を誘発するメラトニンというホルモンの分泌が抑制されることが知られいる。つまり、上記電球色ＬＥＤ（41）は、覚醒刺激の弱い波長特性の光を発生させるものであり、就寝用及び睡眠途中用の光源手段に構成され、上記白色ＬＥＤ（42）は、覚醒刺激の強い波長特性の光を発生させるものである。なお、図１０（ｃ）に青色ＬＥＤの波長特性を示すが、青色ＬＥＤの発生させる光においても、４６４ｎｍを基準とする所定範囲の波長成分が多く含まれるので、白色ＬＥＤ（42）の代わりに青色ＬＥＤを用いてもよい。
【０１１３】
上記各支持基板（43）は、横長の矩形の板状に形成され、上半部において、上記電球色ＬＥＤ（41）が横１１列上下２段になって配置され、下半部において、上記白色ＬＥＤ（42）が横１１列上下２段になって配置されている。つまり、各支持基板（43）には、各ＬＥＤ（41,42）が、それぞれ２２個ずつ取り付けられている。また、上記各支持基板（43）は、上記ケーシング（30a）の凹部（30b）の背面に横方向に４枚並んで配置されている。つまり、上記照明ユニット（31）は、白色ＬＥＤ（42）が横４４列上下２段となるように配置され、その下方に、電球色ＬＥＤ（41）が横４４列上下２段となるように配置されている。このようにして、照明ユニット（31）は、マットレス（13）上に横臥する就寝者よりも上方に配置され、就寝者の上方から光刺激を供給して、就寝空間（14）の照明を行うように構成されている。なお、ここで示した電球色ＬＥＤ（41）や白色ＬＥＤ（42）の個数や、配置構成は、単なる例示である。
【０１１４】
上記コントローラ（32）は、上記ケーシング（30a）内に収容されており、図示しない内蔵された時計による時刻情報に基づいて、照明ユニット（31）の照明を制御するものである。上記コントローラ（32）は、図３及び図４に示すように、点灯制御部（35）と可変制御部（36）とケーシング（30a）の前面に設けられた設定ボタン（33）とを備えている。
【０１１５】
上記点灯制御部（35）は、上記照明ユニット（31）を点灯させるものである。具体的に、上記点灯制御部（35）は、上記照明ユニット（31）の電球色ＬＥＤ（41）と白色ＬＥＤ（42）の印加電圧をそれぞれ個別に調節して、各ＬＥＤ（41,42）を所定の照度で点灯させるものである。
【０１１６】
上記可変制御部（36）は、上記設定ボタン（33）と接続されて照明ユニット（31）の照度などの照明条件を可変に設定するものである。具体的に、上記設定ボタン（33）は、複数の押しボタンによって構成されており、就寝者などの操作により照明ユニット（31）の照明条件が入力するためのものである。上記可変制御部（36）は、上記設定ボタン（33）によって入力された情報に基づいて照明条件を可変に設定し、この設定された条件で、電球色ＬＥＤ（41）及び白色ＬＥＤ（42）のそれぞれによる照明が行われるように点灯制御部（35）を制御するものである。つまり、上記可変制御部（36）は、設定した上記照明条件に応じて、各ＬＥＤ（41,42）の印加電圧を変動させるために、点灯制御部（35）を制御するように構成されている。上記可変制御部（36）は、就寝制御部（53）と睡眠制御部（54）と覚醒制御部（55）とを備えている。
【０１１７】
上記就寝制御部（53）は、入眠時刻設定部（53a）と終了時刻設定部（53b）と就寝照度設定部（53c）と就寝波長設定部（53d）を備え、就寝者が入床してから睡眠状態に至るまでの就寝初期における照明ユニット（31）の照明終了時刻（T2）及び照度を可変に設定するものであり、就寝用可変手段に構成されている。つまり、就寝初期において、就寝者が読書を行う場合などがあり、照明ユニット（31）は、このような就寝者の入床直後の動作などに応じて就寝空間（14）の照明を行う。そこで、上記就寝制御部（53）は、この就寝初期における照明ユニット（31）の照明終了時刻（T2）及び照度を適宜可変に設定する。
【０１１８】
上記入眠時刻設定部（53a）は、就寝者が入床した後に睡眠状態に至る入眠予定時刻(T1)を設定するものである。入眠時刻設定部（53a）は、就寝者などの入力により、具体的な時刻や入床してからの時間（例えば、３０分）を設定するように構成されている。そして、上記点灯制御部（35）は、上記入眠時刻設定部（53a）で設定された入眠予定時刻(T1)から上記照明ユニット（31）の照度を漸次低下させるように構成されている。
【０１１９】
上記終了時刻設定部（53b）は、就寝初期における照明ユニット（31）の照明終了時刻（T2）を設定するものであり、就寝用の時刻設定手段に構成されている。具体的に、上記終了時刻設定部（53b）は、照明ユニット（31）の照明終了時刻（T2）を入眠予定時刻(T1)以降の３０分以内で可変に設定するように構成されている。つまり、入眠時刻設定部（53a）の入眠予定時刻(T1)に、就寝者の睡眠状態が浅い場合、照明ユニット（31）の照度の急激な変動により就寝者を覚醒させてしまう虞があるので、照度をゆるやかに漸次小さくするために、入眠予定時刻(T1)から照明終了時刻（T2）までの時間を長く（例えば、１０分間に）したほうがよい。一方、入眠予定時刻(T1)に就寝者の睡眠状態が深い場合、就寝者は、照明ユニット（31）の照度を急激に変動させても覚醒する虞がない一方、長時間光刺激が供給されることにより覚醒する虞があるので、入眠予定時刻(T1)から照明終了時刻（T2）までの時間を短く（例えば、０分）したほうがよい。そこで、上記終了時刻設定部（53b）は、このような入眠予定時刻(T1)の就寝者の睡眠状態などに応じて、照明終了時刻（T2）を適宜設定する。なお、照明終了時刻（T2）を入眠予定時刻(T1)以降の３０分以内としたのは、就寝者の睡眠状態がかなり浅い場合であっても、照度を３０分間かけて漸次変動させれば、就寝者の照度変動による刺激を確実に低減することができるためである。また、照度の急激な変動を防止し且つ入眠した就寝者に光刺激を長時間供給することを防止するためには、入眠予定時刻(T1)から照明終了時刻（T2）までの時間を５分間に設定することが好ましい。
【０１２０】
上記就寝照度設定部（53c）は、就寝初期における上記照明ユニット（31）の照度を設定するものであり、就寝用の照度設定手段に構成されている。具体的に、上記就寝照度設定部（53c）は、照明ユニット（31）の最大照度を５０ルクス以上で５００ルクス未満の範囲内で設定する。ここで、この最大照度の範囲は、読書などをするのに適し且つ就寝者の入眠を阻害しない照度である。つまり、照度が５０ルクス未満であれば、読書などを行うには暗すぎて就寝者の視力を低下させてしまう虞があり、照度が５００ルクス以上であれば、就寝者の覚醒を誘発してしまう虞がある。そこで、就寝者が読書などを行った後にスムーズに睡眠状態に誘導されるように、最大照度を５０ルクス以上で５００ルクス未満の範囲内とした。なお、最大照度３００ルクスが、読書などの動作及び入眠の阻害防止という点から最も好ましい。なお、ここでいう照度とは、就寝者の枕元、即ち就寝者の眼の付近に対応した位置の照度をいう。
【０１２１】
また、上記就寝波長設定部（53d）は、照明ユニット（31）の就寝初期の波長を設定するものである。具体的に、上記就寝波長設定部（53d）は、就寝初期に就寝者を覚醒状態に誘導させないために、照明ユニット（31）から覚醒刺激の弱い波長特性の光が供給されるように予め設定している。つまり、上記就寝波長設定部（53d）は、照明ユニット（31）の２種類のＬＥＤ（41,42）のうち４６４ｎｍを基準とする所定範囲の波長をあまり含まない電球色ＬＥＤ（41）を点灯させるように設定している。
【０１２２】
上記睡眠制御部（54）は、睡眠照度設定部（54c）と睡眠波長設定部（54d）とを備え、就寝者の睡眠途中において、照明ユニット（31）を所定の低照度で照明を行うように制御するものであり、睡眠用の制御手段に構成されている。なお、ここでいう睡眠途中とは、上記就寝初期の照明ユニット（31）の照明が終了する上記照明終了時刻（T2）以降で、後述する就寝者を覚醒させるための照明ユニット（31）の照明が開始する照明開始時刻（T3）以前の期間をいう。つまり、上記照明ユニット（31）は、例えば、就寝者によっては、睡眠途中に就寝空間（14）が真っ暗であると不安感を感じて眠れない者もいるので、睡眠途中においても就寝空間（14）の照明を行う。
【０１２３】
上記睡眠照度設定部（54c）は、上記睡眠途中における上記照明ユニット（31）の照度を設定するものであり、睡眠用の照度設定手段に構成されている。具体的に、上記睡眠照度設定部（54c）は、照明ユニット（31）の照度を０．３ルクス以上で５ルクス以下の範囲内で設定する。なお、照明ユニット（31）の照度を０．３ルクス以上とすることにより、就寝空間（14）が真っ暗な状態となることなく、５ルクス以下としたことにより、就寝者が、睡眠途中に照明ユニット（31）の照明によって浅い睡眠状態や覚醒状態に誘導されることを防止することができる。なお、ここでいう照度とは、就寝者の枕元、即ち就寝者の眼の付近に対応した位置の照度をいう。
【０１２４】
上記睡眠波長設定部（54d）は、照明ユニット（31）の睡眠途中の波長を設定するものである。具体的に、上記睡眠波長設定部（54d）は、睡眠途中に就寝者を浅い睡眠状態にしないために、照明ユニット（31）から覚醒刺激の弱い波長特性の光が供給されるように予め設定している。つまり、睡眠波長設定部（54d）は、照明ユニット（31）の２種類のＬＥＤ（41,42）のうち４６４ｎｍを基準とする所定範囲の波長をあまり含まない電球色ＬＥＤ（41）を点灯させるように設定している。
【０１２５】
上記覚醒制御部（55）は、起床時刻設定部（55a）と開始時刻設定部（55b）と覚醒照度設定部（55c）と覚醒波長設定部（55d）を備え、就寝者を覚醒させる際の照明ユニット（31）の照明条件を可変に設定するものである。つまり、照明ユニット（31）の照度を大きくすると、就寝者は覚醒状態に誘導されて起床予定時刻（T5）に快適に目覚めることができるので、照明ユニット（31）は、就寝者を覚醒させるために就寝空間（14）を睡眠途中より大きい照度で照明する。そこで、上記覚醒制御部（55）は、就寝者を覚醒させるための照明を開始する照明開始時刻（T3）及び照度を可変に設定するものであり、覚醒用可変手段に構成されている。
【０１２６】
上記起床時刻設定部（55a）は、就寝者の起床予定時刻（T5）を設定するものである。また、本実施形態では、起床時刻設定部（55a）で設定した起床予定時刻（T5）に、アラームによって就寝者に起床が報知されるように構成されている。なお、アラームを発生させる装置は、上記照明装置（30）に内蔵されていてもよいし、上記照明装置（30）とは別体の目覚まし時計などであってもよい。
【０１２７】
上記開始時刻設定部（55b）は、上記照明ユニット（31）が就寝者を覚醒させるための照明を開始する照明開始時刻（T3）を設定するものであり、覚醒用の時刻設定手段に構成されている。具体的に、上記開始時刻設定部（55b）は、照明ユニット（31）の照明開始時刻（T3）を起床予定時刻（T5）の１時間前以降で可変に設定するように構成されている。つまり、起床予定時刻（T5）前に、就寝者の睡眠状態が非常に深い場合は、照明ユニット（31）の照明を起床予定時刻（T5）の長時間（例えば、１時間）前から開始して、就寝者の覚醒を確実に誘発させたほうがよい。一方、就寝者の睡眠状態が浅い場合は、起床予定時刻（T5）の長時間前から照度を高くすると、就寝者の起床予定時刻（T5）前に起床させてしまう虞があり、起床予定時刻（T5）の直前（例えば、５分前）から照度を大きくしただけでも、就寝者が確実に目覚めさせることが可能である。そこで、上記開始時刻設定部（55b）は、起床予定時刻（T5）前の就寝者の睡眠状態などに応じて、照明開始時刻（T3）を適宜設定する。なお、起床予定時刻（T5）の１時間前としたのは、就寝者を不必要に早く覚醒させることを防止するためである。
【０１２８】
上記覚醒照度設定部（55c）は、上記照明ユニット（31）の照度を設定するものであり、覚醒用の照度設定手段に構成されている。具体的に、上記覚醒照度設定部（55c）は、上記照明ユニット（31）の最大照度を照明手段（31）の最大照度を５００ルクス以上で２０００ルクス以下の範囲内で設定する。ここで、この最大照度の範囲は、就寝者を確実に覚醒状態にならしめる照度である。そして、この最大照度が大きければ、就寝者の覚醒刺激は強くなり、最大照度が小さければ、就寝者の覚醒刺激は弱くなる。そこで、上記覚醒照度設定部（55c）は、就寝者の睡眠状態などに応じて、就寝者を覚醒させる際の最大照度を適宜設定する。なお、最大照度が大きければ、就寝者をより確実に覚醒状態に誘導することができるが、むやみに大きくすると就寝者を起床予定時刻（T5）より前に覚醒させたり、就寝者が不快感を感じたりすることがあるので、例えば、就寝者が起床予定時刻（T5）前に適度に浅い睡眠状態となっている場合は、５００ルクスとすることが好ましい。なお、ここでいう照度とは、就寝者の枕元、即ち就寝者の眼の付近に対応した位置の照度をいう。
【０１２９】
さらに、上記覚醒照度設定部（55c）は照明ユニット（31）の変動推移を設定するように構成されている。具体的に、上記照明ユニット（31）が最大照度となる最大照度の到達時刻（T4）を照明開始時刻（T3）以降起床予定時刻（T5）以前の間で設定する。つまり、就寝者がより快適に且つ確実に目覚めるようために、就寝者の睡眠状態が非常に深い場合は、照明開始時刻（T3）から最大照度の到達時刻（T4）までを短く（例えば、０分に）して、照明ユニット（31）の照度を急激に最大照度まで上昇させると共に、該最大照度における点灯時間が長くなるようにして、就寝者に与える刺激を強くしたほうがよい。一方、就寝者の睡眠状態が浅い場合は、照明開始時刻（T3）から最大照度の到達時刻（T4）までを長く（例えば、起床予定時刻に最大照度となるように）して、照明ユニット（31）がゆるやかに漸次上昇して最大照度に到達させると共に、該最大照度における点灯時間が短くなるようにして、就寝者に与える刺激を弱くしたほうがよい。そこで、上記覚醒照度設定部（55c）は、就寝者の睡眠状態などに応じて、最大照度の到達時刻（T4）を適宜設定する。
【０１３０】
上記覚醒波長設定部（55d）は、上記照明ユニット（31）の波長を設定するものである。具体的に、上記覚醒波長設定部（55d）は、就寝者を覚醒状態に誘導するために、照明ユニット（31）から覚醒刺激の強い波長特性の光が供給されるように予め設定している。つまり、覚醒波長設定部（55d）は、照明ユニット（31）の２種類のＬＥＤ（41,42）のうち４６４ｎｍを基準とする所定範囲の波長を多く含む白色ＬＥＤ（42）を点灯させるように設定している。
【０１３１】
〈照明装置の動作〉
次に、照明装置（30）の動作を、図５に基づいて説明する。ここでは、一人の就寝者の体調などのコンディションに応じた動作を、第１〜第４の４つパターンを例示して説明する。
【０１３２】
まず、第１パターンとして、就寝者の体調などが通常状態の場合の動作を説明する。上記就寝者は、通常状態の場合、入床後に読書などを行って入床開始後３０分程度で睡眠状態に至り、入眠後暫くやや浅い睡眠状態となり、起床予定時刻（T5）の少し前（例えば、１５分前）に浅い睡眠状態となる。
【０１３３】
そこで、照明装置（30）の照明は、図５（ａ）に示すように、変動推移する。つまり、就寝者の設定ボタン（33）の操作によって、就寝制御部（53）の入眠時刻設定部（53a）は、入眠予定時刻(T1)を入床開始時刻（T0）の３０分後に設定し、終了時刻設定部（53b）が、照明終了時刻（T2）を入眠予定時刻(T1)の５分後に設定し、就寝照度設定部（53c）が、就寝初期の最大照度を３００ルクスに設定する。また、上記睡眠照度設定部（54c）が、就寝者の設定ボタン（33）の操作によって、睡眠途中の照度を３ルクスに設定する。一方、就寝者の設定ボタン（33）の操作によって、覚醒制御部（55）の開始時刻設定部（55b）が、照明開始時刻（T3）を起床予定時刻（T5）の１０分前に設定し、覚醒照度設定部（55c）が、最大照度を５００ルクスと設定すると共に最大照度の到達時刻（T4）を起床予定時刻（T5）と同じ時刻に設定する。
【０１３４】
これにより、図５（ａ）の実線に示すように、就寝者が上記ベッド（1）の就寝空間（14）で入床を開始すると、上記点灯制御部（35）は、上記就寝制御部（53）の就寝波長設定部（53d）によって照明ユニット（31）の電球色ＬＥＤ（41）を点灯させ、上記就寝照度設定部（53c）の設定によって該電球色ＬＥＤ（41）を照度３００ルクスで点灯させる。上記点灯制御部（35）は、上記入眠時刻設定部（53a）の設定によって入床後３０分間照度３００ルクスを維持し、この３００ルクスに維持された状態で、就寝者は読書を行う。そして、上記点灯制御部（35）は、上記終了時刻設定部（53b）の設定により、５分間かけて照度３００ルクスから上記睡眠照度設定部（54c）で設定した３ルクスまで漸次低下させる。この際、就寝者はやや浅い睡眠状態であるが、照度を３００ルクスから３ルクスに漸次低下させているので、照度は急激に変動することがないことから、就寝者が覚醒状態に誘導されることがない。
【０１３５】
睡眠途中において、上記点灯制御部（35）は、上記睡眠波長設定部（54d）によって照明ユニット（31）の電球色ＬＥＤ（41）を点灯させ、上記睡眠照度設定部（54c）の設定によて電球色ＬＥＤ（41）を照度３ルクスで点灯させる。これにより、睡眠途中に、就寝者の睡眠状態は浅い睡眠状態へと誘導されることがない。また、就寝者は、不意に目覚めた場合であっても、就寝空間（14）が３ルクスで維持されているので、不安感を感じることなく、再び眠りにつくことができる。
【０１３６】
その後、上記点灯制御部（35）は、上記覚醒制御部（55）の開始時刻設定部（55b）の設定によって起床予定時刻（T5）の１０分前に、電球色ＬＥＤ（41）の点灯を停止させると共に、図５（ａ）の破線で示すように、白色ＬＥＤ（42）の点灯を開始させる。この際、上記点灯制御部（35）は、覚醒制御部（55）の覚醒照度設定部（55c）によって、白色ＬＥＤ（42）の照度を漸次上昇させ、起床予定時刻（T5）に最大照度５００ルクスとする。また、起床予定時刻（T5）において、目覚まし時計が動作してアラーム音が発生する。ここで、就寝者は、起床予定時刻（T5）の少し前から睡眠が浅い状態となっているが、白色ＬＥＤ（42）の照度が急激に変動することがないので、光刺激の急激な変動を受けることなく徐々に覚醒状態に誘導され、アラーム音が発生した際に快適に目覚めることができる。また、起床予定時刻（T5）以降は照度が５００ルクスとなるので、起床予定時刻（T5）以降に再び眠気が誘発されることがない。
【０１３７】
次に、第２パターンとして、就寝者が通常よりも少し疲れている場合の動作を説明する。就寝者は、少し疲れている場合、起床予定時刻の少し前（例えば、１５分前）においても、適度に深い睡眠状態となっている。
【０１３８】
そこで、照明装置（30）の照明は、図５（ｂ）に示すように変動推移する。つまり、就寝者の設定ボタン（33）の操作によって、覚醒制御部（55）の開始時刻設定部（55b）が、照明開始時刻（T3）を起床予定時刻（T5）の１時間前に設定し、覚醒照度設定部（55c）が、最大照度を５００ルクスと設定すると共に最大照度の到達時刻（T4）を照明開始時刻（T3）から１０分後（起床予定時刻（T5）の５０分前）に設定する。その他の設定は、就寝者の体調が通常の状態である場合と同じとする。
【０１３９】
これにより、就寝初期及び睡眠途中には、点灯制御部（35）が、上記就寝制御部（53）及び上記睡眠制御部（54）によって、電球色ＬＥＤ（41）を上記第１パターンと同様に点灯させる。そして、照明開始時刻（T3）になると、上記点灯制御部（35）は、電球色ＬＥＤ（41）の点灯を停止させると共に、白色ＬＥＤ（42）を点灯させ１０分間で最大照度５００ルクスにし、この最大照度を維持する。そして起床予定時刻（T5）において、目覚まし時計が動作してアラーム音が発生する。これにより、就寝者が、起床予定時刻（T5）の少し前に適度に深い睡眠状態であっても、起床予定時刻（T5）の１時間前より照度が漸次大きくなることにより、徐々に浅い睡眠状態に誘導され、起床予定時刻（T5）の５０分前から最大照度５００ルクスに維持されることにより、確実に浅い睡眠状態となるので、アラーム音が発生した際に快適に目覚めることができる。
【０１４０】
また、第３パターンとして、就寝者が、非常に疲れていているが、翌日、いつもより早い時刻に起床しなければならない場合の動作を説明する。このような場合、就寝者は、入床後に読書などを行って入床開始後３０分程度で非常に深い睡眠状態となり、起床予定時刻の少し前（例えば、１５分前）においても、非常に深い睡眠状態となっている。
【０１４１】
そこで、照明装置（30）の照明は、図５（ｃ）に示すように変動推移する。つまり、
就寝者の設定ボタン（33）の操作によって、就寝制御部（53）の終了時刻設定部（53b）が、照明終了時刻（T2）を入眠予定時刻(T1)と同時刻に設定し、覚醒制御部（55）の開始時刻設定部（55b）が、照明開始時刻（T3）を起床予定時刻（T5）の１時間前に設定し、覚醒照度設定部（55c）が、最大照度を通常時より大きい８００ルクスと設定すると共に最大照度の到達時刻（T4）を照明開始時刻（T3）とする。その他の設定は、就寝者の体調が通常の状態である場合と同じとする。
【０１４２】
これにより、図５（ｃ）に示すように、上記点灯制御部（35）は、電球色ＬＥＤ（41）を３００ルクスで３０分間点灯させた後、上記終了時刻設定部（53b）の設定により、入眠予定時刻(T1)で照度を３００ルクスから３ルクスに急激に小さくする。ここで、就寝者は非常に深い睡眠状態であるので、この急激な照度変動の刺激を受けても、覚醒することがない。また、照度が早く小さくなるので、就寝者に長時間光刺激を与えることがないことから、就寝者が再び浅い睡眠状態に誘導されることを防止することができる。
【０１４３】
その後、点灯制御部（35）は、睡眠制御部（54）によって、電球色ＬＥＤ（41）の照度を３ルクスに維持する。そして、照明開始時刻（T3）になると、上記点灯制御部（35）は、覚醒制御部（55）によって、電球色ＬＥＤ（41）の点灯を停止させる一方、白色ＬＥＤ（42）を最大照度８００ルクスで点灯させ、この最大照度を維持する。そして、起床予定時刻（T5）において、目覚まし時計が動作してアラーム音が発生する。これにより、就寝者が、起床予定時刻（T5）の少し前に非常に深い睡眠状態であっても、起床予定時刻（T5）の１時間前より最大照度８００ルクスに維持されることにより、確実に浅い睡眠状態となるので、アラーム音が発生した際に快適に目覚めることができる。
【０１４４】
また、第４パターンとして、就寝した翌日が就寝者の休日などである場合の動作を説明する。この場合、就寝者の入床時間は十分に長くなっており、就寝者の睡眠状態は、起床予定時刻の直前に非常に浅くなっている。
【０１４５】
そこで、照明装置（30）の照明は、図５（ｄ）に示すように変動推移する。つまり、
就寝者の設定ボタン（33）操作によって、上記覚醒制御部（55）の開始時刻設定部（55b）が、照明開始時刻（T3）を起床予定時刻（T5）に設定し、覚醒照度設定部（55c）が、最大照度を５００ルクスとする。
【０１４６】
これにより、就寝初期及び睡眠途中には、点灯制御部（35）が、上記就寝制御部（53）及び上記睡眠制御部（54）によって、電球色ＬＥＤ（41）を上記第１パターンと同様に点灯させる。そして、起床予定時刻（T5）に、目覚まし時計が動作してアラーム音が発生すると同時に、上記点灯制御部（35）は、覚醒制御部（55）によって、電球色ＬＥＤ（41）の点灯を停止させる一方、白色ＬＥＤ（42）を最大照度５００ルクスで点灯させる。ここで、就寝者の睡眠状態は、起床予定時刻（T5）の直前に非常に浅くなっているので、起床予定時刻（T5）より前に覚醒を誘導する照明を行うことなく、就寝者を快適に目覚めさせることができる。
【０１４７】
なお、上述したように、点灯制御部（35）は、上記可変制御部（36）によって制御されることにより、各ＬＥＤ（41,42）の印加電圧を変動させて照度、点灯の開始及び終了を変動させるが、照明ユニット（31）の各ＬＥＤ（41,42）の照度を変動させる際に、同じ種類の４４個のＬＥＤ（41,42）の全てが照度変動するようにしてもよいし、点灯するＬＥＤ（41,42）の個数を増減させて、全体として照度変動するようにしもよい。つまり、電球色ＬＥＤ（41）の照度を徐々に小さくする際は、点灯しているＬＥＤ（41）の数が、例えば、４４個、３３個、２２個、１１個というように段階的に少なくなるようにしてもよく、同様に、白色ＬＥＤ（42）の照度を徐々に大きくする際は、点灯しているＬＥＤの数が、１１個、２２個、３３個、４４個というように段階的に多くなるようにしてもよい。
【０１４８】
また、本実施形態では、図５に示すように、照明ユニット（31）の照度が直線的に変動推移するが、曲線的に変動推移してもよいし、例えば、照明開始時刻（T3）から最大照度の到達時刻（T4）にかけて照度が時間の経過に比例して漸次大きくなるのではなく、大きくなったり小さくなったりして波形を描きながら漸次大きくなるようにしてもよい。
【０１４９】
−実施形態１の効果−
上記ベッド（1）では、照明装置（30）が、就寝者の就寝初期における照明ユニット
（31）の照明開始時刻及び照度と、就寝者を覚醒させる際の上記照明ユニット（31）の照明開始時刻及び照度とを就寝者の好みや体調に応じて適宜設定することができるので、就寝者の就寝者を深い睡眠状態に誘導することができると共に、就寝者が覚醒する際の快適性を向上させることができる。つまり、就寝者が睡眠不足となることを防止することができると共に、起床時の快適性を確実に向上させることができる。
【０１５０】
具体的に、就寝制御部（53）の終了時刻設定部（53b）により、照明ユニット（31）の照明終了時刻（T2）を入眠予定時刻(T1)から３０分以内で適宜設定することができるので、入眠予定時刻(T1)直後の就寝者の睡眠状態に応じて、就寝者が照明ユニット（31）から受ける照度変動の刺激及び光刺激を受ける時間を適宜設定することができる。また、就寝照度設定部（53c）により、就寝初期における上記照明手段（31）の最大照度を５０ルクス以上で５００ルクス未満の範囲内で設定するようにしたために、上記照明手段（31）の最大照度を読書などを行うのに適した照度に設定することができると共に、照明手段（31）の照明によって就寝者の入眠が阻害されないようにすることができる。
【０１５１】
また、睡眠途中には、睡眠制御部（54）の睡眠照度設定部（54c）によって、 照明ユニット（31）の照度を０．３ルクス以上で５ルクス以下で適宜設定するようにしたために、照明手段（31）の照明によって就寝者の睡眠を阻害することがなく且つ就寝者が睡眠中に不意に覚醒しても不安感を感じることなく、再度入眠することができる。
【０１５２】
そして、就寝初期及び睡眠途中には、電球色ＬＥＤ（41）を点灯させることにより、就寝者に４６４ｎｍを基準とする所定範囲の波長をあまり含まない覚醒刺激の弱い波長特性の光を供給するようにしたので、就寝者の睡眠を阻害することがない。
【０１５３】
また、覚醒制御部（55）の開始時刻設定部（55b）により、就寝者を覚醒させるための照明ユニット（31）の照明開始時刻（T3）を起床予定時刻（T5）の１時間前以降で適宜設定することができるので、就寝者を不必要に早く覚醒させることがなく、就寝者の所望の起床予定時刻（T5）に確実に覚醒させることができる。また、上記覚醒照度設定部（55c）により、最大照度を５００ルクス以上で２０００ルクス以下の範囲内で適宜設定することができるので、就寝者を確実に覚醒状態に導くことができると共に、この最大照度で点灯を開始する時間も設定することができるので、より確実に就寝者を快適な覚醒状態に誘導することができる。
【０１５４】
また、例示した４つのパターンでは、覚醒制御部（55）の照度設定手段（55c）によって、照度を最大照度まで１０分かけて上昇させたり、急激に最大照度に上昇させたりしたが、最大照度の到達時刻（T4）を可変に設定することができるので、例えば、２０分かけて最大照度まで上昇させてもよく、照度の変動率を就寝者に適したものに設定することができる。そして、照明開始時刻を可変にしているので、最大照度を変動させても、この変動率を一定にしたり、変動率をも変えたりすることを非常に柔軟に行うことができる。つまり、照度の変動率をも、就寝者に適したものに確実に設定することができる。
【０１５５】
そして、就寝者を覚醒させる際は、白色ＬＥＤ（42）を点灯させることにより、就寝者に４６４ｎｍを基準とする所定範囲の波長を多く含む覚醒刺激の強い波長特性の光を供給するようにしたので、就寝者の眠気は確実に抑制され、就寝者を確実に覚醒状態に誘導することができる。
【０１５６】
《発明の実施形態２》
本実施形態は、上記実施形態１の覚醒波長設定部（55d）が、就寝者を覚醒させる際に、照明ユニット（31）の２種類のＬＥＤ（41,42）のうち４６４ｎｍを基準とする所定範囲の波長を多く含む白色ＬＥＤ（42）のみを点灯させるように予め設定していたことに代わり、上記覚醒波長設定部（55d）が、就寝者を覚醒させるための照明ユニット（31）の光の波長を可変に設定するようにしたものである。
【０１５７】
つまり、上記覚醒波長設定部（55d）は、就寝者を覚醒させるための上記照明ユニット（31）の波長分布を設定する覚醒用の波長設定手段に構成されている。具体的に、覚醒波長設定部（55d）は、上記照明ユニット（31）の電球色ＬＥＤ（41）及び白色ＬＥＤ（42）の照度を設定することにより、照明ユニット（31）の波長を適宜設定するように構成されている。つまり、電球色ＬＥＤ（41）は、覚醒刺激の強い４６４ｎｍを基準とする所定範囲の波長の光をあまり含まず、白色ＬＥＤ（42）は、覚醒刺激の強い４６４ｎｍを基準とする所定範囲の波長の光を多く含むので、上記覚醒波長設定部（55d）は、電球色ＬＥＤ（41）の照度を大きく、白色ＬＥＤ（42）の照度を小さく設定して、覚醒刺激の強い波長が少なくなるようにしたり、電球色ＬＥＤ（41）の照度を小さく、白色ＬＥＤ（42）の照度を大きく設定して、覚醒刺激の強い波長が多くなるようにする。さらに、上記覚醒波長設定部（55d）は、上記照明ユニット（31）の就寝者を覚醒させるための照明開始から、該照明ユニット（31）が就寝者に供給する光において、覚醒刺激の強い波長の光を徐々に増大させるように構成されている。
【０１５８】
上記照明装置（30）の動作を、図６に示す４つのパターンに基づいて説明する。なお、図６には、就寝者を覚醒させるための照明ユニット（31）の照明開始時刻（T3）から起床予定時刻（T5）における変動推移を図示しており、就寝初期及び睡眠途中の変動推移については図示を省略した。
【０１５９】
まず、第１パターンを図６（ａ）に基づいて説明する。第１パターンにおいて、覚醒照度設定部（55c）は、実線ｃに示すように、照明ユニット（31）の全体の照度が照明開始時刻（T3）から起床予定時刻（T5）にかけて漸次大きくなるように設定する。また、覚醒波長設定部（55d）は、実線ａに示すように、照明開始時刻（T3）から起床予定時刻（T5）にかけて電球色ＬＥＤ（41）の照度が漸次大きくなり、破線ｂに示すように、照明開始時刻（T3）の所定時間Δｔ１後から、白色ＬＥＤ（42）の照度が漸次大きくなって覚醒刺激の強い４６４ｎｍを基準とする所定範囲の波長を多く含む光が漸次増大するように設定する。
【０１６０】
次に、第２パターンを図６（ｂ）に基づいて説明する。第２パターンにおいて、覚醒照度設定部（55c）は、実線ｃに示すように、照明ユニット（31）の全体の照度が、照明開始時刻（T3）から起床予定時刻（T5）にかけて漸次大きくなるように設定する。また、覚醒波長設定部（55d）は、実線ａに示すように、照明開始時刻（T3）から電球色ＬＥＤ（41）の照度が漸次大きくなると共に、破線ｂに示すように、照明開始時刻（T3）の所定時間Δｔ１後から、白色ＬＥＤ（42）の照度が漸次大きくなって、覚醒刺激の強い４６４ｎｍを基準とする所定範囲の波長を多く含む光が漸次増大するように設定する。さらに、覚醒波長設定部（55d）は、電球色ＬＥＤ（41）の照度を照明開始時刻（T3）から所定時間Δｔ２経過した後は一定とするように設定する。
【０１６１】
次に、第３パターンを図６（ｃ）に基づいて説明する。第３パターンにおいて、覚醒照度設定部（55c）は、実線ｃに示すように、照明ユニット（31）の全体の照度が、照明開始時刻（T3）から漸次大きくなり、該照明開始時刻（T3）から所定時間Δｔ２経過した後に最大照度の一定となるように設定する。また、覚醒波長設定部（55d）は、実線ａに示すように、照明開始時刻（T3）から電球色ＬＥＤ（41）の照度が漸次大きくなると共に、破線ｂに示すように、照明開始時刻（T3）の所定時間Δｔ１後から、白色ＬＥＤ（42）の照度が漸次大きくなるように設定する。さらに、覚醒照度設定部（55c）は、照明開始時刻（T3）から所定時間Δｔ２経過した後に、電球色ＬＥＤ（41）の照度が漸次小さくなっるよに設定する。これにより、覚醒刺激の強い４６４ｎｍを基準とする所定範囲の波長を多く含む光が漸次増大する一方、照明開始時刻（T3）から所定時間Δｔ２経過後には、照度が一定に維持される。
【０１６２】
次に、第４パターンを図６（ｄ）に基づいて説明する。第４パターンにおいて、覚醒照度設定部（55c）は、実線ｃに示すように、照明ユニット（31）の全体の照度が、照明開始時刻（T3）から起床予定時刻（T5）にかけて照度が同じ割合で漸次上昇するように設定する。そして、覚醒波長設定部（55d）は、実線ａに示すように、照明開始時刻（T3）から電球色ＬＥＤ（41）の照度が漸次大きくなって該照明開始時刻（T3）の所定時間Δｔ１後に電球色ＬＥＤ（41）の照明が停止するように設定する。また、上記覚醒波長設定部（55d）は、破線ｂに示すように、該照明開始時刻（T3）の所定時間Δｔ１後に電球色ＬＥＤ（41）に代わって白色ＬＥＤ（42）を上記電球色ＬＥＤ（41）の照明が停止する直前の照度と同じ照度から漸次大きくなるようにして、覚醒刺激の強い４６４ｎｍを基準とする所定範囲の波長を多く含む光が漸次増大するように設定する。これにより、覚醒刺激の強い４６４ｎｍを基準とする所定範囲の波長を多く含む光が漸次増大する一方、照明ユニット（31）の全体の照度変動は、常に同じ割合で変動する。
【０１６３】
本実施形態では、上記覚醒波長設定部（55d）により、就寝者を覚醒させる際の上記照明ユニット（31）の波長を、就寝者の個人差、好み、体調及び環境などに応じて適宜設定することができるので、就寝者を確実に快適な目覚めに誘導することができる。そして、２つの光源手段である電球色ＬＥＤ（41）及び照明色ＬＥＤ（42）の照度を適宜設定することにより波長の設定を行うので、この波長の設定を非常に容易に行うことができる。
【０１６４】
また、就寝者を覚醒させる際の上記照明ユニット（31）の波長において、覚醒刺激の強い４６４ｎｍを基準とする所定範囲の波長の光を徐々に増大させるようにしているので、就寝者が急激に覚醒刺激を受けることを防止することができる。特に、就寝者によっては、常に浅い睡眠状態となりやすい体質であったり、高齢者などであって早朝覚醒をしやすい体質であったりする場合もあるので、このように、照明開始時刻（T3）には、覚醒刺激の弱い波長特性の電球色ＬＥＤ（41）のみを点灯させて、徐々に光り刺激に慣れさせることにより、過度な覚醒刺激を与えることを防止することができるので、就寝者が起床予定時刻（T5）前に覚醒することを防止することができる。
【０１６５】
また、就寝者の睡眠状態が深く、早朝覚醒などを招来する虞がない場合は、実施形態１と同様に、上記覚醒波長設定部（55d）が、照明開始時刻（T3）から白色ＬＥＤ（42）のみが点灯するように設定してもよい。これにより、照明開始時刻（T3）から覚醒刺激の強い４６４ｎｍを基準とする所定範囲の波長が多い白色ＬＥＤ（42）のみが点灯するので、就寝者を確実に覚醒状態に誘導させることができる。
【０１６６】
そして、本実施形態では、就寝者を覚醒させるための照明ユニット（31）の照明開始時刻（T3）と照度と波長とを適宜設定することができるので、照明ユニット（31）の照度の変動率や覚醒刺激の強い波長の含まれる割合の変動率をも適宜設定することができる。また、照明ユニット（31）の全体照度の変動推移を１つのパターンに設定しても、この１つのパターンに対応した各ＬＥＤ（41,42）の照度の変動推移のパターンは複数あるので、就寝者の照度に対する感受性や就寝者の波長に対する感受性に応じて、照度及び波長を設定することができる。これにより、就寝者の覚醒時における快適性を確実に向上させることができる。
【０１６７】
その他の構成、作用及び効果は実施形態１と同じである。
【０１６８】
《発明の実施形態３》
本実施形態は、図７に示すように、上記照明ユニット（31）が、上記電球色ＬＥＤ（41）を覆う光学フィルタ（60）と該光学フィルタ（60）を可動させる可動手段である可動部材（61）を備えている。そして、実施形態２の覚醒波長設定部（55d）が、上記照明ユニット（31）の電球色ＬＥＤ（41）及び白色ＬＥＤ（42）の照度を設定することにより、照明ユニット（31）の波長を適宜設定したことに代わり、本実施形態の覚醒波長設定部（55d）は、上記各ＬＥＤ（41,42）の照度設定に加えて、上記光学フィルタ（60）が上記電球色ＬＥＤ（41）を覆う範囲が変動するように可動部材（61）を制御することにより、照明ユニット（31）の波長分布を設定するように構成されている。
【０１６９】
具体的に、上記光学フィルタ（60）は、図８に示すフィルタ特性を有しており、波長が４８８ｎｍ以下の光の透過率は５％以下であり、波長が５３０ｎｍ以上の光の透過率は７２％以上である。つまり、上記光学フィルタ（60）は、覚醒刺激の強い４６４ｎｍを基準とする所定範囲の光は９５％以上を遮断する一方、覚醒刺激の弱い５３０ｎｍ以上の波長の光を確実に透過させる。なお、上記光学フィルタ（60）は、波長が４６４ｎｍを基準とする所定範囲の光を全て完全に遮断するものではないが、波長が４６４ｎｍを基準とする所定範囲の光を確実に低減し、覚醒刺激の弱い光を覚醒刺激の強い光より確実に透過させるものである。
【０１７０】
上記光学フィルタは、上下２段で横４４列に配置された電球色ＬＥＤ（41）を覆うように、横長の板状に形成されている。上記可動部材（61）は、回転部（62）とアーム部（63）とを備えている。上記回転部（62）は、照明ユニット（61）の支持基板（43）の下方に配置され、回転するように構成されている。上記アーム部（63）の一端は、上記光学フィルタ（63）が接続され、他端は、上記回転部（64）に接続されている。このような構成により、図７の（ａ）及び（ｂ）に示すように、上記回転部（62）を回転させると、上記アーム部（63）が動いて、上記光学フィルタ（60）が上記電球色ＬＥＤ（41）を覆う範囲が変動する。そして、上記覚醒波長設定部（55d）は、上記可動部材（61）の回転部（62）の回転を制御するように構成されている。
【０１７１】
就寝初期及び睡眠途中において、照明装置（30）は上記実施形態１で示したように、電球色ＬＥＤ（41）による照明を行う。この際、図７（ａ）に示すように、上記光学フィルタ（60）は、上記電球色ＬＥＤ（41）を覆う。これにより、図１０（ａ）に示す電球色ＬＥＤ（41）の光は、上記光学フィルタ（60）によって、覚醒刺激の弱い波長が透過する一方、少量含まれる４６４ｎｍを基準とする所定範囲の波長が低減される。
【０１７２】
そして、就寝者を覚醒させるための照明装置（30）の照明は、図９に示すように変動推移する。つまり、覚醒照度設定部（55c）は、実線ｃに示すように、照明ユニット（31）の全体の照度が、照明開始時刻（T3）から起床予定時刻（T5）にかけて同じ割合で漸次大きくなるように設定する。また、覚醒波長設定部（55d）は、実線ａに示すように、照明開始時刻（T3）から電球色ＬＥＤ（41）の照度を漸次上昇させると共に、図７（ｂ）に示すように、照明開始時刻（T3）の所定時間Δｔ１後に可動部材（61）の回転部（62）を制御して上記電球色ＬＥＤ（41）が光学フィルタ（60）で覆われない状態とし、該電球色ＬＥＤ（41）に少量含まれる４６４ｎｍを基準とする所定範囲の波長も就寝者に供給されるように設定する。そして、覚醒波長設定部（55d）は、照明開始時刻（T3）から所定時間Δｔ２になると、電球色ＬＥＤ（41）を停止させる一方、破線ｂに示すように、白色ＬＥＤ（42）の照度を該電球色ＬＥＤ（41）を停止させた際における照度と同じ照度から漸次大きくなるように設定して、覚醒刺激の強い４６４ｎｍを基準とする所定範囲の波長を多く含む光を漸次増大させる。
【０１７３】
本実施形態では、就寝初期及び睡眠途中には、上記光学フィルタ（60）によって、電球色ＬＥＤ（41）に少量含まれる覚醒刺激の強い波長の光を低減するようにしたために、就寝者に覚醒刺激の強い光が供給されることを確実に防止することができる。これにより、就寝初期及び睡眠途中に、就寝者が浅い睡眠状態や覚醒状態に誘導されることがない。また、就寝者を覚醒させるための照明ユニット（31）の照明開始時刻（T3）には、上記光学フィルタ（60）によって、電球色ＬＥＤ（41）の覚醒刺激の強い波長を確実に低減するようにしたために、就寝者を徐々に光り刺激に慣れさせることができ、照明開始時刻（T3）に過度な覚醒刺激を与えることがない。そして、可動部材（61）によって、電球色ＬＥＤ（41）の光学フィルタ（60）による覆いを除き、さらに、白色ＬＥＤ（42）による照明を行って、覚醒刺激の強い４６４ｎｍを基準とする所定範囲の波長を多く含む光を漸次増大させることができるので、就寝者に、波長特性の急激な変動による刺激を与えることなく、確実に覚醒状態に誘導することができる。
【０１７４】
なお、本実施形態では、照明開始時刻（T3）から所定時刻Δｔ１に光学フィルタ（60）を図７（ａ）から図７（ｂ）に示す状態に急激に可動させたが、例えば、上下２段の電球色ＬＥＤ（41）のうち、上段の電球色ＬＥＤ（41）が光学フィルタ（60）に覆われず且つ下段の電球色ＬＥＤ（41）が光学フィルタ（60）に覆われる状態とするようにして、段階的に光学フィルタ（60）が電球色ＬＥＤ（41）を覆う部分を変動させるようにしてもよい。
【０１７５】
その他の構成、作用及び効果は実施形態１と同じである。
【０１７６】
《その他の実施形態》
上記実施形態については、以下のような構成としてもよい。
【０１７７】
上記実施形態１では、図５に示したように、照明ユニット（31）の照度などの照明条件を一人の就寝者の体調などのコンディションに応じて設定したが、上記ベッド（1）がホテルなどに設置されて、日によって異なる就寝者が就寝するためのものであれば、個人差によって適宜設定してもよい。
【０１７８】
また、上記各実施形態では、就寝者の体調などによって、照明ユニット（31）の照度などの照明条件の詳細を設定したが、単に通常時の運転モードや疲れている際の運転モードが予め設定されていたり、就寝者によって運転モードを何パターンか入力設定できるようにされており、就寝者が、運転モードを選択するようにしてもよい。
【０１７９】
また、上記実施形態１のベッド（1）では、ベッド本体（10）が天蓋（23）を備え、就寝空間（14）が遮光性を有するカーテン（28）で覆われていたが、ベッド本体（10）は、天蓋（23）を備えていない構成であってもよい。その場合、ベッド本体（10）が設置された部屋の窓から太陽の自然光が入ってくる可能性もあるので、この自然光の量も考慮して照明装置（30）の照明ユニット（31）の照度などを適宜設定するようにしてもよい。つまり、就寝空間（14）の環境に応じて、上記照明ユニット（31）の照度などを適宜設定するようにしてもよい。
【０１８０】
また、上記実施形態１では、就寝者が設定ボタン（33）によって、予め自己の睡眠状態を予測して、照明ユニット（31）の動作を入力するようにしたが、ベッド本体（10）に就寝者の睡眠状態を検知するセンサなどを設けることにより、就寝者が入力することなく、該センサの情報によって、照明ユニット（31）の照度などの照明条件を適宜設定するようにしてもよい。
【０１８１】
また、上記実施形態１では、ベッド（1）に照明装置（30）全体が収納されていたが、少なくとも、照明ユニット（31）のみが設けられていればよく、その場合、就寝制御部（53）や覚醒制御部（55）などの可変手段は、リモコンなどに設けられていても良い。さらに、照明装置（30）はベッド（1）とは別体の電気スタンドのようなものであってもよいし、ベッドや布団が設けられた就寝者が就寝するための部屋の天井に取り付けられた室内照明装置であってもよい。
【０１８２】
また、上記実施形態２及び３では、覚醒照度設定部（55c）で照明ユニット（31）の全体照度を設定し、覚醒波長設定部（55d）で各ＬＥＤ（41,42）の照度を設定したが、覚醒照度設定部（55c）で照明ユニット（31）の全体照度の変動推移を１つのパターンに設定しても、この１つのパターンに対応した各ＬＥＤ（41,42）の照度の変動推移のパターンは複数あるので、上記実施形態２及び３で示した各ＬＥＤ（41,42）で示した変動推移のパターンに限定されない。また、覚醒照度設定部（55c）が全体照度を設定せず、覚醒波長設定部（55d）のみが各ＬＥＤ（41,42）の照度を設定するようにしてもよい。
【０１８３】
また、上記各実施形態では、波長特性の異なる２種類の光源手段であるＬＥＤ（41,42）を備えたが、１種類の光源手段を備えるようにしてもよい。そして、照明ユニット（31）が白色ＬＥＤ（42）のみを備える場合、実施形態３の光学フィルタ（60）を用いて、入床初期及び睡眠途中には、白色ＬＥＤ（42）の覚醒刺激の強い４６４ｎｍを基準とする所定範囲の波長を遮断又は低減して、覚醒刺激の弱い波長の光のみを就寝者に供給するようにしてもよい。
【０１８４】
さらに、上記各実施形態では、就寝初期、睡眠途中、就寝者を覚醒させる際の全てにおいて、照明ユニット（31）の照明を行うようにしたが、例えば、就寝者が入床後に読書を行わず、直ぐに入眠し、睡眠途中に真っ暗であることを希望する場合は、就寝制御部（53）及び睡眠制御部（54）の制御を行わないように設定ボタン（33）などで操作してもよい。
【０１８５】
なお、以上の実施形態は、本質的に好ましい例示であって、本発明、その適用物、あるいはその用途の範囲を制限することを意図するものではない。
【産業上の利用可能性】
【０１８６】
以上説明したように、本発明は、就寝者が就寝する就寝空間を照明する照明装置及び該照明装置を備えたベッドについて有用である。
【図面の簡単な説明】
【０１８７】
【図１】実施形態１に係るベッドのベッド本体における天蓋を除いた状態を示す概略斜視図である。
【図２】実施形態１に係るベッドの天蓋を閉めた状態を示す概略斜視図である。
【図３】実施形態１に係る照明装置の概略構成図である。
【図４】実施形態１に係る照明装置の照明ユニットとコントローラの構成を示す概略構成図である。
【図５】実施形態１に係る照明装置の動作を示す図であり、電球色ＬＥＤ、白色ＬＥＤの照度の変動推移を示す図である
【図６】実施形態２に係る照明装置の動作を示す図であり、電球色ＬＥＤ、白色ＬＥＤ及び照明ユニット全体の照度の変動推移を示す図である。
【図７】実施形態３に係る照明装置の照明ユニットの縦断面図である。
【図８】実施形態３に係る光学フィルタの波長と透過率の関係図である。
【図９】実施形態３に係る照明装置の動作を示す図であり、電球色ＬＥＤ、白色ＬＥＤ及び照明ユニット全体の照度の変動推移を示す図である。
【図１０】ＬＥＤが発生させる光の波長と発光強度の関係図であり、（ａ）が電球色ＬＥＤの関係図、（ｂ）が白色ＬＥＤの関係図、（ｃ）が青色ＬＥＤの関係図を示すものである。
【符号の説明】
【０１８８】
1   ベッド
10   ベッド本体
14   就寝空間
30   照明装置
31   照明ユニット（照明手段）
41   電球色ＬＥＤ（光源手段）
42   白色ＬＥＤ（光源手段）
53   就寝制御部（就寝用可変手段）
53b  終了時刻設定部（就寝用の時刻設定手段）
53c  就寝照度設定部（就寝用の照度設定手段）
54c  睡眠照度設定部（睡眠用の照度設定手段）
55   覚醒制御部（覚醒用可変手段）
55b  開始時刻設定部（覚醒用の時刻設定手段）
55c  覚醒照度設定部（覚醒用の照度設定手段）
55d  覚醒波長設定部（覚醒用の波長設定手段）
60   光学フィルタ
61   可動手段
【図１】
2007294143.tif 000003
【図２】
2007294143.tif 000004
【図３】
2007294143.tif 000005
【図４】
2007294143.tif 000006
【図５】
2007294143.tif 000007
【図６】
2007294143.tif 000008
【図７】
2007294143.tif 000009
【図８】
2007294143.tif 000010
【図９】
2007294143.tif 000011
【図１０】
2007294143.tif 000012